(57)【要約】【課題】別個の機器に実装されていた機能を連携して利用する。【解決手段】ユーザに対して情報を出力するための制御及びユーザから操作を受け付けるための制御、の何れか又は双方の制御を行う第１の電力消費部と、第１の電力消費部とは異なる制御を行う第２の電力消費部とを備え、前記第１の電力消費部及び第２の電力消費部へ同時に電圧を印加すると、外部電源の定格電流を超える場合に、前記外部電源からの給電が開始されると、第１の電力消費部へ電圧を印加する第１−１の印加を行い、該第１−１の印加の後に第２の電力消費部へ電圧を印加する第２の印加を行う。【選択図】図１
2019135149.tif 000002
【特許請求の範囲】
【請求項１】
車両側から電源の給電を受けて動作するシステムであって、
地図表示機能を実現する制御を行う第１の制御部と、
ドライブレコーダ機能を実現する制御を行う第２の制御部と、
充電池と、
前記電源から供給された電力を、前記第１の制御部、前記第２の制御部、および前記蓄電池に供給する一方、前記電源から電力が供給されなくなった場合に、前記蓄電池から供給された電力を、前記第１の制御部および前記第２の制御部に供給する電源制御部と
を有し、
前記電源から電力が供給されなくなった場合に、前記第２の制御部は前記充電池から供給された電力を用いてシャットダウン処理を開始する一方、前記第１の制御部はシャットダウン処理を行わない
システム。
【請求項２】
前記第１の制御部は、前記電源から電力が供給されなくなった後、前記車両と異なる外部装置に接続された場合に、シャットダウン処理を行う
請求項１に記載のシステム。
【請求項３】
前記充電池は、電気二重層コンデンサであり、
前記電気二重層コンデンサとは異なる電池をさらに有し、
前記第１の制御部は、前記外部装置から取り外されると、前記電池から供給された電力を用いて起動する
請求項２に記載のシステム。
【請求項４】
外部電源の給電を受けて動作するシステムであって、
第１の制御部と、
第２の制御部と、
充電池と、
前記電源から供給された電力を、前記第１の制御部、前記第２の制御部、および前記蓄電池に供給する一方、前記外部電源から電力が供給されなくなった場合に、前記蓄電池から供給された電力を、前記第１の制御部および前記第２の制御部に供給する電源制御部と
を有し、
前記外部電源から電力が供給されなくなった場合に、前記第２の制御部は前記充電池から供給された電力を用いてシャットダウン処理を開始する一方、前記第１の制御部はシャットダウン処理を行わない
システム。
【発明の詳細な説明】
【技術分野】
【０００１】
本発明は、移動体にて使用される装置、及び移動体にて使用される装置を機能させるためのプログラムに関する。
【背景技術】
【０００２】
近年、自動車等の移動体を使用するユーザに対して運行案内を行うカーナビゲーション装置が使用されることが一般的となっている。
【０００３】
例えば、特許文献１には、ＧＰＳ（Global Positioning System）を使用した測位を行うことにより自車両の現在位置を検出する位置検出手段と、道路の種別情報等を記憶する記憶部と、画像の表示を行う表示部とを備えるカーナビゲーション装置が記載されている。
【０００４】
そして、この特許文献１に記載のカーナビゲーション装置は、目的地の位置、自車両の現在位置及び道路の種別情報等にも基づいて運行案内用の情報を作成し、作成した運行案内用の情報を地図情報と重ねて表示部に表示する。これにより、ユーザは適切な経路を経由して目的地に到着することが可能となる。
【０００５】
一方で、事故時発生時の状況分析等の目的で、自動車等の移動体にドライブレコーダを設置することも行われるようになってきている。
【０００６】
ドライブレコーダは、例えば、車両の周囲を撮像するためのカメラと、衝突事故や急ブレーキ・急ハンドル等の異常を検出する加速度センサと、カメラが撮像することにより取得された画像データを記憶する記憶媒体を備えている。
【０００７】
そして、カメラによって走行中の周囲の映像を常に記憶する。また、加速度センサからの出力に基づき、衝突事故や急ブレーキ・急ハンドル等の異常を検出すると、その時点から前後の所定時間の画像データを記憶する記憶媒体に保存する。これにより、ユーザは衝突事故や急ブレーキ・急ハンドル等の異常が発生した際の車両の周囲の様子を確認することができる。このようなドライブレコーダの一例は、例えば特許文献２に記載されている。
【０００８】
また、このようにドライブレコーダで記憶媒体に保存された画像データは、例えば記憶媒体をパーソナルコンピュータのような再生用の再生装置に挿入することにより再生が可能である。また、記憶媒体をパーソナルコンピュータのような再生用の再生装置に挿入することにより画像データを記憶した場所を地図上に表示するようなことも可能である。
【先行技術文献】
【特許文献】
【０００９】
【特許文献１】特開２０１３−１６０６７９号公報
【特許文献２】特開２０１３−２３５３９５号公報
【発明の概要】
【発明が解決しようとする課題】
【００１０】
上述したように、自動車等の運転時には、カーナビゲーション装置やドライブレコーダといった機器が使用される。また、例えばドライブレコーダにより記憶媒体に記憶された画像データを再生するために、パーソナルコンピュータなどの再生装置が使用される。
【００１１】
これらの機器は共に表示機能を有しているというように一部の機能が重複している一方で、カーナビゲーション装置には測位機能や、地図情報等を用いた運行案内のための機能があり、ドライブレコーダには撮影機能や、加速度センサによる測定機能があり、外部装置にはドライブレコーダで記憶媒体に保存された画像データを再生する機能や、画像データを記憶した場所を地図上に表示する機能がある、というように、それぞれが独自の機能を備えていた。
【００１２】
しかしながら、カーナビゲーション装置、ドライブレコーダ、及び再生装置はそれぞれ別個の機器として実現されており、これら移動体で使用される機器や、移動体使用後に使用される機器が備えているこれら独自の機能を連携して利用することは想定されていなかった。
【００１３】
そこで、本発明は別個の機器に実装されていた機能を連携して利用することが可能な、装置及びプログラムを提供することを目的とする。
【課題を解決するための手段】
【００１４】
（１−１）  移動体の移動に伴って変化する測定情報が、段階的に設けられた複数の条件の内の何れかの条件を満たす情報となった（以下「イベントが発生した」と称呼する）場合に、
前記イベントが発生した場所を特定する情報及び前記段階的に設けられた複数の条件の内の何れの条件を満たしたのかを表す情報の２つの情報をイベント毎に対応付けて出力することを特徴とする装置。
【００１５】
こうすることにより、当該装置のみならず、「イベントが発生したと判断されたこと」、「イベントが発生した場所」及び「複数の条件の内の、どの条件を満たしたことによって、イベントが発生したと判断されたのかということ」を出力先において得ることができるのでよい。
【００１６】
（１−２）  前記イベントが発生した場合に、前記２つの情報を記憶するための制御又は前記２つの情報を記憶させるための制御を行い、
所定の出力条件を満たした場合に、前記記憶している又は前記記憶させている、前記２つの情報をイベント毎に対応付けて出力することを特徴とする。
【００１７】
こうすることにより、記憶する場合又は記憶させる場合の何れの場合であっても、後にこれら２つの情報を利用する必要が生じた際に、これら２つの情報を読み込んで利用することが可能となる。更に、前者であれば、例えば当該装置に挿入された記憶媒体が取り外された場合であっても、これら２つの情報を読み込んで利用することが可能となる。また、後者であれば例えば当該装置に挿入された記憶媒体の書き込み可能な容量が一杯になった場合に、新たな記憶媒体に入れ替えて使用するようなことが可能となる。
【００１８】
前記２つの情報を記憶するための制御としては、例えば当該装置自身が備える記憶部に、これら２つの情報を書き込むようにするとよい。前記２つの情報を記憶させるための制御とは、例えば当該装置に挿入された記憶媒体や、例えば当該装置に接続された記憶装置にこれら２つの情報を書き込むようにするとよい。
【００１９】
（１−３）前記所定の出力条件とは、前記イベントが発生した場所に前記移動体が接近したこと、及び前記イベントが発生した場所を含むイベント発生周辺場所に関連する情報を出力すること、の何れか又は双方であることを特徴とする。
【００２０】
このように、情報を出力する条件である所定の出力条件を、前記イベントが発生した場所に前記移動体が接近したこととすることにより、移動体運転中に、過去に発生した箇所に接近した場合に、過去に発生したイベントに関する情報を出力することができる。更に、出力先を例えば表示部やスピーカとすることにより、ユーザは過去にイベントが発生した箇所に現在接近している、ということが把握できる。
【００２１】
また、このように情報を出力する条件である所定の出力条件を、前記イベントが発生した場所を含むイベント発生周辺場所に関連する情報を出力することにより、イベント発生周辺場所に関連する情報を出力する場合に、過去に発生したイベントに関する情報を出力することができる。また、前記イベントが発生した場所を含むイベント発生周辺場所に関連する情報を出力するとはイベントが発生した場所を含む周辺地図を出力することとするとよい。こうすることにより、例えば、カーナビゲーション機能を使用しているユーザが経路を検索するような場合に、経路上に存在する過去のイベント発生箇所を周辺の地図と共に出力することができる。
【００２２】
（１−４）  前記イベントが発生した場合した場合に、前記イベントの発生時、前記イベント発生前及び前記発生後何れか又はこれらの２つ以上の組み合わせのときに撮像された画像データを記憶するための制御又は前記画像データを記憶させるための制御を行うことにより、前記イベント発生後に前記画像データを再生可能とすることを特徴とする。
【００２３】
こうすることにより、例えばイベント発生前後の一定期間に撮影された画像データを記憶しておけることから、その後、イベント発生前後の一定期間に撮影された画像データを再生することができる。また、これらの２つ以上の組み合わせとあることから、イベント発生時とイベント発生前の一定期間や、イベント発生時とイベント発生後の一定期間といった組み合わせとするとよい。また、画像データは静止画でもよい。また、画像データを動画とするのもよい。また画像データに静止画や動画以外の他のデータが含まれていてもよい。例えば、画像データに音声データが含まれるようにするとよい。
【００２４】
また、画像データは撮像手段による撮像により生成されるようにするとよい。撮像手段と当該装置が接続されるようにしてもよい。更に、当該装置と同一筐体に含まれる装置を当該装置の制御対象とするのもよい。そして、かかる制御対象の装置に撮像手段が含まれていてもよい。
【００２５】
また、記憶するための制御又は記憶させるための制御について、例えば（１−２）の項目で上述した２つの情報の書き込みと同様に行うようにするとよい。
【００２６】
（１−５）  前記２つの情報に加えて、前記記憶した画像データ又は前記記憶させた画像データが存在することを表す情報も対応付けて出力することを特徴とする。
【００２７】
出力先ではどのイベントについて対応する画像データが存在するのかを把握することができる。また、例えば出力先を表示部やスピーカにすることにより、出力された情報を参照したユーザは、どの場所でイベントが発生したのか等に加えて、「そのイベントに対応する画像データが現在再生できる状態であるか」も把握することが可能となる。
【００２８】
（１−６）  前記イベントが発生したと判断した場合に、当該装置が制御対象とする装置が実行する機能であって前記画像データの撮像の障害となる機能を実行させないための制御を行うことを特徴とする。
【００２９】
こうすることにより、障害のない状態で画像データを撮像することが可能となる。例えば、当該装置が制御対象とする装置をテレビ映像を再生可能な装置とし、当該装置が制御対象とする装置が実行する機能であって前記画像データの撮像の障害となる機能、をテレビの音声出力機能とするとよい。こうすることにより、画像データの撮像の際、少なくともイベントが発生したと判断された後はテレビの音声は停止され、画像データにテレビの音声が混入することを防止可能となる。また、例えば当該装置が制御対象とする装置を自動車のワイパーとし、当該装置が制御対象とする装置が実行する機能であって前記画像データの撮像の障害となる機能、をワイパーの動作とするとよい。こうすることにより、画像データの撮像の際、少なくともイベントが発生したと判断された後はワイパーの動作は停止され、画像データに動作しているワイパーが映り込むことを防止可能となる。
【００３０】
（１−７）  前記記憶している又は前記記憶させている、前記画像データを削除する削除機能を備え、
或るイベントに対応する画像データが、前記削除機能により削除されたことによって再生不可能となった場合であっても
前記或るイベントが発生した場所を特定する情報及び前記段階的に設けられた複数の条件の内の何れの条件を満たしたのかを表す情報の２つの情報の出力は行うことを特徴とする。
【００３１】
こうすることにより、画像データを削除した後であっても、２つの情報を出力することができる。また、出力先にてこれら２つの情報を利用することができる。そのため、画像データが削除されており、画像データは再生できない状況であっても、ユーザは、イベントが発生した場所や、イベント発生時の衝撃の度合いを確認することができる。
【００３２】
（１−８）  前記複数の条件の内の第１の条件を満たした場合に前記画像データを記憶するための制御又は前記画像データを記憶させるための制御を行い、
前記複数の条件の内の第２の条件を満たした場合に前記画像データを記憶するための制御又は前記画像データを記憶させるための制御は行わないが、前記或るイベントが発生した場所を特定する情報及び前記段階的に設けられた複数の条件の内の何れの条件を満たしたのかを表す情報の２つの情報の出力は行うことを特徴とする。
【００３３】
このように、複数の条件の何れかの条件については満たされたとしても画像データの記憶を行わないようにするとよい。これにより、例えば軽微な衝撃に基づいてイベントが発生したと判断されることが頻発するような場合には、軽微な衝撃に基づいてイベントが発生したと判断されたとしても画像データを記憶しない。そのため、画像データが増えすぎて、記憶媒体の容量をすぐに使いきってしまうような事態を防止する事が可能となる。例えば、車種や道路状況、運転の癖等によっては、一番敏感な閾値でのイベントが発生したとの判断が多発するような場合に、毎回録画をすると肝心な録画データもすぐ上書きされてしまう。そのため、このような場合は例えば一番敏感な閾値でのイベントが発生したと判断したとしても画像データを記憶しないようにするとよい。また、この場合に、画像データは記憶しないが２つの情報の出力は行うことから、ユーザは、イベントが発生した場所や、イベント発生時の衝撃の度合いを確認することができる。
【００３４】
（１−９）  前記イベントが発生した場所を特定する記号を表示するための制御を行うと共に、前記画像データが記憶されているか否かに応じて前記記号の表示態様を異ならせるための制御を行うことを特徴とする。
【００３５】
このようにすることにより、出力する情報を可視化することができ、例えばこれを参照したユーザが情報の内容を把握することが可能となる。具体的には、記号を参照したユーザが、イベントが発生した場所だけでなく、どのイベントについて画像データが記憶されているか否かを把握することが可能となる。ここで、記号が具体的にどのようなものであるかは任意であるが、例えば記号を地図上に表示するアイコンとするよい。これにより、ユーザは地図とイベントが発生した場所とを照らしあわせて参照できることから、イベントの発生した場所が何処であるのかを容易に認識することが可能となる。
【００３６】
また、どのようにして前記記号の表示態様を異ならせるかも任意であるが、例えば、画像データが記憶されているイベントが発生した場所を特定する記号として丸型の形状のアイコンとし、画像データが記憶されていないイベントが発生した場所を特定する記号としては、矩形型の形状のアイコンとするとよい。また、イベントが発生した場所を特定する記号と、画像データが記憶されていないイベントが発生した場所を特定する記号とで色を異なるようにするとよい。また、イベントが発生した場所を特定する記号と、画像データが記憶されていないイベントが発生した場所を特定する記号とで、アイコンの形状及び色の双方が異なるようにするとよい。
【００３７】
（１−９−１）  前記画像データが記憶されているイベントが発生した場所を特定する記号の大きさを、前記画像データが記憶されていないイベントが発生した場所を特定する記号の大きさよりも大きなものとして表示を行わせるための制御を行うことを特徴とする。
【００３８】
このようにすることにより、出力する情報を可視化することができ、例えばこれを参照したユーザが情報の内容を把握することが可能となる。ここで、記号については上述の（１−９）と同様であり、例えば記号を地図上に表示するアイコンとするよい。
【００３９】
また、どのようにして前記記号の形状を異ならせるかも任意であるが、例えば、画像データが記憶されているイベントが発生した場所を特定する記号として或る大きさの丸型の形状のアイコンとし、画像データが記憶されていないイベントが発生した場所を特定する記号としては、この或る大きさよりも小さな丸型の形状のアイコンとするとよい。
【００４０】
また、上述の（１−９）と組み合わせることによって、アイコンの大きさ及びアイコン形状の双方を異ならせるようにするのもよい。
【００４１】
何れの場合であっても、これを参照したユーザが、イベント発生場所のみならず、どのイベントについて画像データが記憶されているのかを把握することが可能となる。
【００４２】
（１−１０）  前記画像データの再生時に前記画像データの撮像を中止させるための制御を行い、前記画像データの再生終了後に前記画像データの撮像を再開させるための制御を、操作の受け付けを要することなく行うことを特徴とする。
【００４３】
こうすることにより、画像データ再生中に新たにイベントが発生した判断した場合に再生中の画像データが上書きされてしまうような事態を防止することが可能となる。
【００４４】
また、例えば、画像データそれぞれに番号を割り当ててリスト化して管理しているような場合であって、且つ、画像データ再生中に新たにイベントが発生した判断した場合に、新たな画像データに割り当てる番号と再生中の画像データに割り当てられている番号が重複してしまうような事態を防止することが可能となる。例えば、現在再生中の録画データを最新の画像データであるとして管理している場合に、新たな画像データが発生してしまうと、再生終了後に、何れのデータが最新のデータであるかが管理できなくなってしまうというような事態を防止することが可能となる。
【００４５】
更に、このような事態を防止した後に、操作の受け付けを要することなく画像データの撮像を再開することにより、ユーザが録画開始のための操作を忘れてしまったような場合にも録画を再開することが可能となる。また、ユーザが操作を行う、という手間を省くことが可能となる。
【００４６】
（１−１１）  当該装置が制御対象とする装置は前記画像データを撮像するための撮像手段を備えており、
前記制御対象とする装置を前記移動体に設置後も、前記撮像手段に光を入射する入射部が、該入射部の入射位置及び向きの何れか又は双方を調整可能なように動かせることを特徴とする。
【００４７】
こうすることにより、移動体に制御対象の装置を設置した後であっても入射位置の調整を行うことが可能となる。これにより、移動体の形状や設置位置に対応できるように、撮像される範囲を調整することができ、所望の範囲の画像データを撮像することが可能となる。当該装置と同一筐体に含まれる装置を当該装置の制御対象とするのもよい。そして、かかる制御対象の装置に撮像手段が含まれていてもよい。撮像手段は例えばカメラとし、入射部は例えばカメラレンズとするとよい。
【００４８】
（１−１２）  前記イベントが発生した場所を特定する記号を表示するための制御を行うと共に、前記段階的に設けられた複数の条件の内の何れの条件を満たしたのかに応じて前記記号の表示態様を異ならせるための制御を行うことを特徴とする。
【００４９】
このようにすることにより、出力する情報を可視化することができ、例えばこれを参照したユーザが、各イベントが、どの条件を満たしたことにより発生したと判断されたイベントなのかを把握することが可能となる。ここで、記号については上述の（１−９）及び（１−９−１）と同様であり、例えば記号を地図上に表示するアイコンとするよい。
【００５０】
また、どのような色を用いることにより記号の色を異ならせるかも任意であるが、例えば、微細な衝撃があったことからイベントが発生したと判断された場合には、そのイベントについては緑とするとよい。また、例えば、大きな衝撃があったことからイベントが発生したと判断された場合には、そのイベントについては赤とするとよい。また、例えば、これら微細な衝撃と大きな衝撃の中間の衝撃があったことからイベントが発生したと判断された場合には、そのイベントについては黄色とするとよい。また、衝撃の大きさに応じて、アイコンの大きさや形状を異ならせるようにしてもよい。
【００５１】
また、上述の（１−９）や（１−９−１）と組み合わせることによって、更に画像データの有無に応じてアイコンの大きさ及びアイコン形状の双方を異ならせるようにするのもよい。
【００５２】
また、上述の（１−９）や（１−９−１）の構成と関連させる際に、内容に応じて異ならせ方を異ならせるようにするとよい。例えば、画像データが存在するか否かに応じてアイコンの「形状」を異ならせ、衝撃の大きさに応じてアイコンの「色」を異ならせるようにするとよい。また、画像データが存在するか否かに応じてアイコンの「色」を異ならせ、衝撃の大きさに応じてアイコンの「形状」を異ならせるようにするとよい。
【００５３】
（１−１３）  所定の操作を受け付けたことを契機として、該所定の操作を受け付けた場所を特定する情報を前記イベントが発生した場所を特定する情報とは区別して記憶するための制御又は、該所定の操作を受け付けた場所を特定する情報を前記イベントが発生した場所を特定する情報とは区別して記憶させるための制御を行い、
前記操作を受け付けた場所を特定する記号を、前記イベントが発生した場所を特定する記号とは異なる表示態様で表示するための制御を行うことを特徴とする。
【００５４】
これにより、イベントが発生したと判断していない場合であっても、位置情報を記憶する（記憶させる）ことが可能となる。そして、このようにすることにより、出力する情報を可視化することができ、そのため、これを参照したユーザはイベントが発生したと判断された場所と、操作が行われた場所とを区別して把握することが可能となる。
【００５５】
ここで、記号については上述の（１−９）、（１−９−１）及び（１２）と同様であり、例えば記号を地図上に表示するアイコンとするよい。
【００５６】
また、どのような色を用いることにより記号の色を異ならせるかも任意であるが、例えば、操作を受け付けた場所を特定する記号を、青文字とするとよい。
【００５７】
また、上述の（１−９）や（１−９−１）と組み合わせることによって、更に画像データの有無に応じてアイコンの大きさ及びアイコン形状の双方を異ならせるようにするのもよい。更に、上述の（１−１２）と組み合わせることによって、更に、各イベントが、どの条件を満たしたことにより発生したと判断されたイベントなのかに応じてアイコンの色を異ならせるようにするのもよい。
【００５８】
また、記憶するための制御又は記憶させるための制御について、例えば（２）の項目で上述した２つの情報の書き込みと同様に行うようにするとよい。
【００５９】
（１−１４）  前記出力する情報には、前記イベントが発生したと判断した順番を表すための情報が更に含まれることを特徴とする。
【００６０】
こうすることにより、どのイベントが最近発生したと判断されたイベントであるのかということや、どのイベントが昔に発生したと判断されたイベントであるのかということが出力先で把握可能となる。
【００６１】
例えば、古いイベントの画像データから上書き及び削除されるようにするとよい。この場合に情報の出力先を表示部とすることにより、ユーザはもうすぐ消えてしまうイベントデータがどれなのか分かる。よって、消えてしまいそうなデータから優先的に再生することが可能となる。
【００６２】
また、上述の（１−９）や（１−９−１）や（１−１２）や（１−１３）と組み合わせるようにするのもよい。
【００６３】
例えば、上述の（１−９−１）と組み合わせ、例えばアイコンを時系列に沿った番号を表示する丸付き数字とするのもよい。
【００６４】
（１−１５）  前記移動体の移動に伴って変化する測定情報は加速度センサによる測定値を備え、前記加速度センサによる測定値が段階的に設けられた閾値の何れの閾値を超えたかによって前記複数の条件の内の何れの条件を満たしたのかが決定されることを特徴とする。
【００６５】
このようにすることにより、単に移動体が他の移動体や設置物に衝突したということのみならず、ユーザは衝突した際の衝撃がどの程度であったかも判断することができる。
【００６６】
（１−１６）  前記移動体の移動に伴って変化する測定情報が、段階的に設けられた複数の条件の内の何れかの条件を満たす情報となったとしても該条件が満たす情報となったのが、操作を受け付けたときを含む所定の期間の間であるのならば、前記イベントが発生したとはしない又はイベントは発生したと判断するがイベントが発生した旨の警告を出力するための制御を行わないことを特徴とする。
【００６７】
操作とは、ユーザによる操作であり、この操作を受け付ける際の衝撃に基づいてイベントが発生したと誤った判断をしてしまうおそれがある。しかしながら、このようにすることにより、イベントが発生していないような場合に誤ってイベントが発生したと判断してしまうことを防止することが可能となる。
【００６８】
装置の使用状況によっては所定の方向に対してイベントの発生とは無関係に、加速度センサによる測定値が上るような場合がある。例えば、装置の前面をタッチパネルとした場合には、ユーザによるタッチパネルの押下が行われることにより、装置の前面から後面方向に対応する測定軸において、加速度センサによる測定値が上る。これは、イベント発生とは関係しないため、このような場合にはイベントが発生したと判断しないようにするとよい。
【００６９】
そこで、操作を受け付けたときを含む所定の期間の間であるのならば前記イベントが発生したとはしない。これにより、操作に伴う衝撃を加速度センサが測定した場合であっても、これに基づいてイベントが発生したという誤った判断を行ってしまうことを防止することができる。
【００７０】
しかしながら、操作に前後して実際にイベントが発生するような場合も考えられる。そこで、イベントが発生したと判断しないのではなく、イベントが発生したと判断はするが警告は出力しないこととするとよい。これにより、イベント発生に伴って行われる処理を確実に行うことが可能となる。イベント発生に伴って行われる処理とは、例えば画像データの記憶処理とするとよい。また、一方で、操作に伴う衝撃を加速度センサが測定してイベントが発生したという誤った判断を行ってしまったにも関わらず、警告を出力してしまうという事態を防止することが可能となる。
【００７１】
（１−１７）  当該装置が制御対象とする装置が、第１の記憶媒体使用部と第２の記憶媒体使用部とを備えており、一方の記憶媒体使用部にて使用した記憶媒体を、他方の記憶媒体使用部で使用できるように制御することを特徴とする。
【００７２】
このようにすることにより、２つの記憶媒体使用部を有効に使用することが可能となる。
【００７３】
例えば、制御対象とする装置が、２つの機能を実現する基板を有しており、これら基板のそれぞれが、同一の規格に準拠した記憶媒体を使用できるようにするとよい。これにより、同一の記憶媒体を相互の基板で使用することが可能となる。
【００７４】
例えば、カーナビゲーションシステムの機能を実現する基板とドライブレコーダの機能を実現する基板とするとよい。例えばドライブレコーダの機能を実現する基板で撮影した画像データをカーナビゲーションシステムの機能を実現する基板の能力で再生したり、片方の基板で使用していた記憶媒体の容量が一杯になった場合に、他方の記憶媒体を使用することが可能となる。
【００７５】
（１−１８）  前記イベントの発生時、前記イベント発生前及び前記発生後何れか又はこれらの２つ以上の組み合わせのときに測定された測定情報も出力する。
【００７６】
こうすることにより、イベント発生前後の一定期間に測定された測定情報を出力先にて把握できる。また、これらの２つ以上の組み合わせとあることから、イベント発生時とイベント発生前の一定期間や、イベント発生時とイベント発生後の一定期間といった組み合わせとするとよい。
【００７７】
例えば、測定情報を移動体の移動速度とし、出力先を表示部とするとよい。こうすることにより、ユーザはイベントが発生時に例えば法定速度以下であったことや、きちんと徐行をしていたことなどが証明できるようになる。なお、移動体の移動速度は、例えばＧＰＳの位置情報を使用することにより算出できる。また、例えばＯＢＤ（On-board diagnostics）を使用することにより移動体の移動速度を取得するのもよい。
【００７８】
（１−１９）  プログラムが、コンピュータを上述の（１）乃至（１−１８）として記載の装置として機能させることを特徴とする。
【００７９】
上述の（１−１）乃至（１−１８）として記載の装置の機能の全部又は少なくとも一部をコンピュータにより実現することが可能となる。
【００８０】
（１−ａ）  前記画像データを所定の数だけ記憶した状態にあるときに又は前記画像データを所定の数だけ記憶させた状態にあるときに、前記イベントが発生したと判断したならば、前記記憶した画像データ又は前記記憶させた画像データの一部又は全部を削除することを特徴とする。
【００８１】
例えば、記憶媒体の容量に基づいて画像データの最大記憶可能件数を定めておき、この最大記憶可能件数に近い数だけ画像データが記憶している（又は、記憶されている）ような状態を、前記画像データを所定の数だけ記憶した（又は、記憶されている）状態とするとよい。
【００８２】
このようにすることにより、最大記憶可能件数に近づけば画像データは削除される。そのため、最大記憶可能件数になってしまって次回のイベント発生時に画像データが記憶できない、というような事態を防止することが可能となる。
【００８３】
（１−ｂ）  前記閾値は測定軸毎に異なる値が設定可能であり、前記移動体の進行方向に対応する測定軸の閾値が、他の測定軸の閾値よりも高いことを特徴とする装置。
【００８４】
このようにすることに、装置の利用状況に応じた閾値を使用でき、イベントが発生していないような場合に誤ってイベントが発生したと判断してしまうことを防止することが可能となる。
【００８５】
この点、装置の使用状況によっては所定の方向に対してイベントの発生とは無関係に、加速度センサによる測定値が上るような場合がある。例えば、装置の前面をタッチパネルとした場合には、ユーザによるタッチパネルの押下が行われることにより、装置の前面から後面方向に対応する測定軸において、加速度センサによる測定値が上る。これは、イベント発生とは関係しないため、このような場合にはイベントが発生したと判断しないことが好ましい。そこで、例えば装置の前面から後面方向に対応する測定軸においては閾値を高くするとよい。これにより、多少の衝撃を検知したとしてもイベントが発生したと判断しないとすることが可能となる。
【００８６】
また、例えば自動車に装置を設置する際は、タッチパネルが設けられた装置の前面はユーザの正面に向き、装置の後面は自動車の進行方向に向く。そこで、例えば移動体進行方向を前とした場合に移動体進行方向に対応する測定軸をＸ方向（前後）とし、移動体進行方向を前とした場合に移動体の左右に対応する測定軸をＹ方向（左右）とし、移動体進行方向を前とした場合に移動体の上下に対応する測定軸をＺ方向（左右）とし、Ｘ方向（前後）の測定軸についての閾値を高くするようにするとよい。
【００８７】
（１−ｃ）  前記イベントが発生したと判断した場合に、通知部が点灯するための制御を行い、前記通知部は該通知部による点灯が前記移動体のフロントガラスに映り込む場所に設置されることを特徴とする。
【００８８】
こうすることにより、フロントガラスに写り込んだ点灯又は点滅を見ることができ、ユーザはイベントが発生したことを、容易に認識することが可能となる。例えば、夜間に移動体を運転するような場合に、通知部が点灯するようにするとよい。
【００８９】
（１−ｄ）  前記移動体が前記イベントが発生した場所の近傍に位置している場合に、当該装置が制御対象とする装置が実行する機能の少なくとも一部を制限することを特徴とする。
【００９０】
こうすることにより、前回イベントが発生した箇所において、ユーザは移動体の運転に集中することが可能となる。
【００９１】
過去にイベントが発生した場所では気を引き締めて運転をすることが望まれることが多い。例えば、前回急ブレーキをかけてしまったことからイベントが発生したと判断された場所があったとする。この場合に、この場所の近傍では制御対象とする装置の機能を一部制限する。例えば、上述の（６）のように制御対象とする装置をテレビ映像を再生可能な装置とし、当該装置が制御対象とする装置が実行する機能であって前記画像データの撮像の障害となる機能、をテレビの音声出力機能とするとよい。こうすることにより、以前急ブレーキをかけた場所の近くでは、運転の邪魔となるテレビの音声の出力を取りやめることができ、ユーザが移動体の運転に集中することが可能となる。
【００９２】
（２−１）  ユーザに対して情報を出力するための制御及びユーザから操作を受け付けるための制御、の何れか又は双方の制御を行う第１の電力消費部と、第１の電力消費部とは異なる制御を行う第２の電力消費部とを備え、
前記第１の電力消費部及び第２の電力消費部へ同時に電圧を印加すると、外部電源の定格電流を超える場合に、前記外部電源からの給電が開始されると、第１の電力消費部へ電圧を印加する第１−１の印加を行い、該第１−１の印加の後に第２の電力消費部へ電圧を印加する第２の印加を行うことを特徴とする。
【００９３】
このように、電圧の印加を順番に行うことによって段階的に電流を流すことにより、必要とする電流の合計値の最大値を下げることができる。これにより低電流の電源であっても装置を起動することが可能となる。また、ユーザに対して情報を出力するための制御及びユーザから操作を受け付けるための制御、の何れか又は双方の制御を行う第１の電力消費部を、先に印加の対象とすることから、ユーザが情報を参照することや操作を行うことが速やかに開始できる。
【００９４】
また、例えば、移動体のカーチャージャーを使用して外部から電源を供給するようにするとよい。こうすると、低電流のカーチャージャーを使用でき、コストが削減可能となる。また、低電流のカーチャージャーのケーブルは細いので、ユーザにとって取り回しが楽になる。
【００９５】
（２−２）  前記第２の電力消費部は、前記外部電源からの給電が遮断された場合に蓄電器からの給電を受けて所定の動作終了処理を行う必要がある部位を備えており、
前記第２の印加を行う前に、前記蓄電器へ電圧を印加する第１−２の印加を行うことを特徴とする。
【００９６】
こうすることにより、第２の電力消費部を起動させる前に、蓄電器への給電が行われることとなり、第２の電力消費部が所定の動作終了処理を行うための電荷を蓄電器に蓄えておくことができる。そのため、必要な所定の動作終了処理を確実に実行できる。
【００９７】
動作終了処理は、例えば第２の電力消費部が処理しているデータの記憶媒体への格納処理とするとよい。これにより、処理途中のファイルが破損してしまうことを防止することができる。
【００９８】
（２−３）  当該装置は、前記外部電源から取り外された場合に駆動を継続するための二次電池を備えており、前記第２の印加の後に、前記二次電池へ電圧を印加する第３の印加を行うことを特徴とする。
【００９９】
第２の電力消費部への印加が始まってすぐではまだ、電流を多く消費している。よってこの段階で二次電池に電流を流してしまうと外部電源の定格電流を上回ってしまう。
【０１００】
そこで、このように第３の印加をすぐには行わないようにすることにより、外部電源の定格電流を上回ってしまうことを防止することを特徴とする。
【０１０１】
例えば、蓄電器の電圧が上がるのを待ってから印加を行う場合、蓄電器の電圧が上がった適切なタイミングで印加を開始することが可能となる。また蓄電器はスーパーキャパシタとするとよい。
【０１０２】
（２−４）  電圧を印加された前記第１の電力消費部によって当該装置が所定の機能を発揮するまでに要する時間が、電圧を印加された前記第２の電力消費部によって当該装置が所定の機能を発揮するまでに要する時間よりも長い。
【０１０３】
ユーザに各種の機能を提供する際に、機能を発揮するまでに時間を要する電力消費部に対しては、機能を発揮するまでに相対的には時間を要さない電力消費部よりも先に電圧を印加すべきである。そこで、このように、所定の機能を発揮するまでに要する時間が相対的に長い第１の電力消費部に対して、第２の電力消費部よりも先に電圧を印加する。これにより、ユーザは第１の電力消費部により発揮される機能を早期に使用することが可能となる、上記（２−１）の欄で述べたように、第１の電力消費部によって、ユーザに対して情報を出力するための制御及びユーザから操作を受け付けるための制御、の何れか又は双方の制御が行われることから、第１の電力消費部を先に印加の対象とすることにより、ユーザが情報を参照することや操作を行うことが速やかに開始できる。
【０１０４】
（２−５）前記第１の電力消費部によって当該装置は地図表示機能を発揮し、前記第２の電力消費部によって当該装置はドライブレコーダ機能を発揮し、前記ドライブレコーダ機能に関連して出力する情報を地図上に表示することを特徴とする。
【０１０５】
また、第１の電力消費部に対して先に印加を行うことから、速やかに地図表示機能を起動させることが可能となる。移動体のユーザは地図を確認してから、運転を開始する場合が多いと考えられる。また、運転を開始していないのであれば、ドライブレコーダを機能させる必要性は運転中よりも低くなる。そこで、例えばドライブレコーダ機能を先に起動させるのではなく、地図表示機能の起動後に、ドライブレコーダ機能を起動するとよい。これにより、ユーザの使用状況に適した起動順序とすることが可能となる。
【０１０６】
（２−６）  前記ドライブレコーダ機能に関連して取得した位置情報によって特定される場所への運行案内を行うための制御を行うことを特徴とする。
【０１０７】
こうすることにより、ユーザは、ドライブレコーダ機能に関連した場所への運行案内を受ける。例えば、過去に事故を起こした場所や、頻繁にイベントが発生する場所や、ユーザが手動で録画をした場所に簡単に再訪することが可能となる。
【０１０８】
（２−７）  前記地図が表示されていない状態であっても運行案内を継続するための制御を行うことを特徴とする。
【０１０９】
例えば、地図が表示されていない状態、すなわち、カメラの撮影したリアルタイム映像やテレビ映像を表示している場合であっても音声出力による運行案内を継続するようにするとよい。
【０１１０】
（２−８）  前記蓄電器の電圧が第１の所定の電圧を超えたのならば前記第２の印加が開始されるように制御し、前記蓄電器の電圧が第２の所定の電圧を超えたのならば前記第２の電力消費部が所定の機能を発揮可能となるように制御することを特徴とする。
【０１１１】
第２の電力消費部の起動処理が終わったからといって、すぐに第２の電力消費部が所定の機能を実行すると蓄電器への蓄電が不十分であることが考えられる。そこで、このようにすることにより、起動に必要な電圧となったら起動処理を開始し、所定の機能を実行可能な電圧となってから初めて所定の機能の実行を開始する。これにより、蓄電器への蓄電が不十分であるにも関わらず所定の機能を実行してしまうことを防止できる。所定の機能は例えばドライブレコーダ機能とするとよい。
【０１１２】
（２−９）  前記第２の電力消費部が、前記所定の機能を実行可能な状態となったことを契機として前記第３の印加が行われるように制御することを特徴とする。
【０１１３】
第２の電力消費部への印加が始まってすぐではまだ、蓄電器への蓄電は不十分であり、電流を多く消費している。よってこの段階で他のデバイスである二次電池に電流を流してしまうと電流の合計値の最大値が想定を上回ってしまう。
【０１１４】
そこで、こうすることにより所定の機能を実行可能な状態、すなわち蓄電器への蓄電が充分できてから他のデバイスである二次電池に電流を流すことが可能となる。そのため電流の合計値の最大値が電源供給元の定格電流を上回ってしまうことを防止することが可能となる。
【０１１５】
（２−１０）  前記第１の電力消費部が、前記外部電源からの給電が開始されてから前記第３の印加が開始されるまでの間の、何れかの期間又は全ての期間において前記第２の電力消費部が前記所定の機能を発揮可能な状態にない旨を出力するための制御を行うことを特徴とする。
【０１１６】
上述した（２−１）の欄に記載のように、まずユーザに対して情報を出力するための、第１の電力消費部を起動することが好ましい。そこでまず、第１の電力消費部に電流を流す。そして、このようにすることにより、第１の電力消費部により、第２の電力消費部による所定の機能が未だ使用できない旨を出力することを可能となる。例えば表示部に「現在ドライブレコーダの機能は使用できません」等の表示を出力するようにするとよい。これにより、ユーザはきちんと給電が開始されていること、及び２の電力消費部による所定の機能は起動途中であることを認識することが可能となる。
【０１１７】
（２−１１）  前記外部からの電源の供給が遮断された場合に、前記第２の制御部上で稼働する所定の機能を停止させるように制御することを特徴とする。
【０１１８】
これにより、外部からの電源の供給が遮断された場合に、消費電力量を削減することができる。例えば、移動体のカーチャージャーから取り外された場合にはドライブレコーダとしての機能は不要となる。そこで、このようにすることにより、不要な機能を停止でき、二次電池の消費を低減させることが可能となる。
【０１１９】
（２−１２）  前記装置が、前記所定の外部電源から給電を受けているときに前記第１の電力消費部上で稼働する機能及び前記第２の電力消費部上で稼働する機能の双方の機能を停止させることを特徴とする。
【０１２０】
こうすることにより、消費電力量を削減することができ、効率よく二次電池への充電を行うことが可能となる。
【０１２１】
例えば、移動体以外の機器から給電を受けているときは、移動体で使用されておらず、パーソナルコンピュータのＵＳＢ（Universal Serial Bus）規格に準拠した端子や、コンセントに接続状況であると考えられる。この場合には、ドライブレコーダとしての機能に加えて地図表示機能も不要となる。そこで、こうすることにより、不要な機能を停止でき、二次電池の消費を低減させることが可能となる。
【０１２２】
（２−１３）  プログラムが、コンピュータを上述の（２−１）乃至（２−１３）として記載の装置として機能させることを特徴とする。
【０１２３】
上述の（２−１）乃至（２−１３）として記載の装置の機能の全部又は少なくとも一部をコンピュータにより実現することが可能となる。
【０１２４】
（２−ａ）  前記外部電源からの給電が遮断された場合に、前記二次電池が前記第１の電力消費部に電圧を印加するように制御することを特徴とする装置。
遮断された場合、例えば、移動体のカーチャージャーから取り外された場合にはドライブレコーダとしての機能は不要となる。そこで、ドライブレコーダの機能を実現する第２の電力消費部ではなく、地図表示機能を実現する第１の電力消費部に二次電池から電圧を印加する。このようにすることにより、外部からの電源の供給が遮断されてもすぐに地図表示機能を使用することが可能となる。また、当該装置を携帯型とし、ユーザが持ち歩いて使用できるようにするとよい。
【発明の効果】
【０１２５】
本発明によれば、別個の機器に実装されていた機能を連携して利用することが可能となる。
【図面の簡単な説明】
【０１２６】
【図１】本発明の実施形態の基本的構成を表すブロック図である。
【図２】本発明の実施形態における、３つの録画について説明するイメージ図である    。
【図３】本発明の実施形態における、マニュアル録画及びイベント録画に対応するア    イコンのリストを表す表示例である。
【図４】本発明の実施形態における、イベント発生時のポップアップ表示の表示例で    ある。
【図５】本発明の実施形態における、イベントアイコンの地図上での表示例の一例に    ついて表す表示例である。
【図６】本発明における、マニュアル録画及びイベント録画に対応するアイコンのリ    ストと地図を表示する際の表示例である。
【図７】本発明の実施形態における、履歴アイコンの地図上での表示例の一例につい    て表す表示例である。
【図８】本発明の実施形態における、画面遷移について表す図（１／３）である。
【図９】本発明の実施形態における、画面遷移について表す図（２／３）である。
【図１０】本発明の実施形態における、画面遷移について表す図（３／３）である。
【図１１】本発明の実施形態における電源制御部の基本的構成を表すブロック図であ    る。
【図１２】本発明の実施形態における電源制御時の基本的な動作を表すフローチャー    ト（１／２）である。
【図１３】本発明の実施形態における電源制御時の基本的な動作を表すフローチャー    ト（２／２）である。
【図１４】本発明の実施形態におけるドライブレコーダ未起動時の表示例である。
【図１５】本発明の実施形態においてナビゲーション機能を動作させている際の表示    例である。
【図１６】本発明の実施形態の実装例を表す六面図である。
【図１７】本発明の実施形態の実装例に設けられた切り欠けについて説明する図であ    る。
【図１８】本発明の実施形態のスピーカスリットについて説明する図である。
【図１９】本発明の実施形態の実装例におけるクレードル及び台座部と接続された状    態を表す図である。
【発明を実施するための形態】
【０１２７】
次に、本発明の実施形態について図面を参照して詳細に説明する。
【０１２８】
＜機能ブロック＞
まず、図１を参照して本実施形態である一体型装置１０００の構成について説明する。図１は一体型装置１０００に含まれる機能ブロックを表すブロック図である。
【０１２９】
図１を参照すると、一体型装置１０００は、第１の制御部１００、タッチパネル１１０、スピーカ１２０、報知用ＬＥＤ１３０、ボタン１４０、テレビチューナ１５０、ＧＰＳセンサ１６０、加速度センサ１７０、第１の記憶部１８０、主記憶部１９０、第２の制御部２００、カメラ２１０、マイク２２０、第２の記憶部２３０、電源部３１０及びＵＳＢ端子３２０を含む。
【０１３０】
ここで、第１の制御部１００は、もっぱらカーナビゲーション装置としての機能を実現する制御部である。一方で、第２の制御部２００は、もっぱらドライブレコーダとしての機能を実現する制御部である。そして、第１の制御部１００及び第２の制御部２００は連携することにより一体型装置１０００の制御を実現する。つまり、一体型装置１０００は、カーナビゲーション装置としての機能とドライブレコーダとしての機能との双方を兼ね備えた装置である。以下の説明においては、一体型装置１０００を自動車のダッシュボード上に設置して使用することを想定する。
【０１３１】
次に、これら各部の機能について、より詳細に説明する。
【０１３２】
第１の制御部１００は、上述した各部のなかでも特に、タッチパネル１１０、スピーカ１２０、報知用ＬＥＤ１３０、ボタン１４０、テレビチューナ１５０、ＧＰＳセンサ１６０、加速度センサ１７０、第１の記憶部１８０及び主記憶部１９０を制御する。
【０１３３】
具体的には、第１の制御部１００は、タッチパネル１１０が受け付けた操作の内容を入力する。また、表示すべき画像データをタッチパネル１１０に出力する。また、第１の制御部１００は、出力すべき音楽や音声等の音をスピーカ１２０に出力する。更に、第１の制御部１００は、報知用ＬＥＤ１３０（Light Emitting Diode）を点灯や点滅させることにより、ユーザに対する報知を行う。
【０１３４】
更に、第１の制御部１００は、タッチパネル１１０が受け付けた操作に応じてテレビチューナ１５０の制御を行う。
【０１３５】
更に、第１の制御部１００は、ＧＰＳセンサ１６０が測位した位置情報を入力する。更に、第１の制御部１００は、加速度センサ１７０が測定した加速度を入力する。
【０１３６】
更に、第１の制御部１００は、第１の記憶部１８０に情報を書き込む。更に第１の制御部１００は第１の記憶部１８０より情報を読み込む。
【０１３７】
更に、第１の制御部１００は、主記憶部１９０に情報を書き込む。更に第１の制御部１００は主記憶部１９０より情報を読み込む。
【０１３８】
更に、第１の制御部１００は、基板上に実装された通信線等で接続され第２の制御部２００と相互に通信を行う。
【０１３９】
更に、第１の制御部１００はＵＳＢ端子３２０を介して接続された外部装置と、相互に通信を行う。
【０１４０】
タッチパネル１１０は、ユーザから画面を押下されることにより操作を受け付け、受け付けた操作の内容を第１の制御部１００に出力する。ここで、操作の内容とは押下を受け付けた位置が、タッチパネル１１０の画面上のどの位置であるのかを特定する情報である。また、タッチパネル１１０は、第１の制御部１００から入力される画像データを画面上に表示する。更に、タッチパネル１１０は、テレビチューナ１５０から入力される画像データを画面上に表示する。
【０１４１】
スピーカ１２０は、第１の制御部１００から入力される音楽や音声等の音を出力する。
【０１４２】
報知用ＬＥＤ１３０は、第１の制御部１００の制御に基づいて点灯や点滅をする。
【０１４３】
ボタン１４０は、一体型装置１０００の筐体に設けたれた物理的なボタン１４０であり、ユーザの操作を受け付ける。
【０１４４】
ここで、上述したように一体型装置１０００を自動車に設置して使用する場合には、タッチパネル１１０、スピーカ１２０及び報知用ＬＥＤ１３０のそれぞれは、タッチパネル１１０、スピーカ１２０及び報知用ＬＥＤ１３０の出力をユーザが検知可能な位置に配置される。また、タッチパネル１１０及びボタン１４０はユーザが操作可能な位置に配置される。
【０１４５】
テレビチューナ１５０は、テレビ信号を受信し、受信したテレビ信号を所定の形式の画像データに変換してタッチパネル１１０に出力する。以下の説明では、このテレビチューナ１５０が変換した画像データを「テレビ映像」と呼ぶ。
【０１４６】
ＧＰＳセンサ１６０は、ＧＰＳを利用して一体型装置１０００の現在位置を測位し、測位した位置情報を第１の制御部１００に出力する。ここで、位置情報とは例えば、ＧＰＳの規格に準拠した座標情報により実現される。
【０１４７】
加速度センサ１７０は、加速度を測定し、測定した加速度を第１の制御部１００に入力する。なお、加速度センサ１７０は、「Ｇセンサ」と呼ばれることもある。
【０１４８】
第１の記憶部１８０は、ユーザにより脱着可能な記憶媒体が挿入される部分である。第１の記憶部１８０には、例えば、ＭＰ３（MPEG-1 Audio Layer-3）形式の音楽ファイルや、第１の制御部１００が書き込んだテレビ映像が格納された記憶媒体が挿入される。そして、第１の制御部１００の制御により、これら音楽ファイルや、テレビ映像は記憶媒体より読み込まれ、スピーカ１２０やタッチパネル１１０から出力される。
【０１４９】
主記憶部１９０には、カーナビゲーション行うための情報が格納される。具体的には、地図情報、一定の目標物に関する情報、道路の種別を特定するための情報、施設の情報及び住所情報等が格納される。また、主記憶部１９０には、第１の制御部１００による制御を実現するためのソフトウェアが格納される。
【０１５０】
また、一体型装置１０００の出荷後に更新されたソフトウェアの最新データや目標物についての最新データ等を使用して、主記憶部１９０のソフトウェアをアップデートすることもできる。例えば、最新データが格納された記憶媒体を第１の記憶部１８０に挿入し、第１の記憶部１８０が、この記憶媒体から追加データを読み取って主記憶部１９０のソフトウェアをアップデートする。ここで、主記憶部１９０は、例えばフラッシュメモリにより実現される。
【０１５１】
また、上述したように一体型装置１０００を自動車に設置して使用している場合には、ＧＰＳセンサ１６０が測位した現在位置は自動車の現在位置を表し、加速度センサ１７０が測定した加速度は自動車の加速度を表すこととなる。そして、第１の制御部１００は、ＧＰＳセンサ１６０が測位した現在位置及び記憶部に格納されている地図情報等を照らし合わせることにより、自動車の現在位置を含んだ運行案内用の地図を作成し、タッチパネル１１０にこの運行案内用の地図を表示する。また、タッチパネル１１０、スピーカ１２０及び報知用ＬＥＤ１３０を使用して、所定の情報、警報及びメッセージを出力する。第１の制御部１００がこれらの処理を行うことによりカーナビゲーション機能を実現する。
【０１５２】
一方、第２の制御部２００は、上述した各部のなかでも特に、カメラ２１０、マイク２２０及び第２の記憶部２３０を制御する。
【０１５３】
そして、第２の制御部２００は、カメラ２１０が撮像した映像信号及びマイク２２０が集音した音響信号を入力し、入力した映像信号及び音響信号を所定の形式の画像データに変換して記憶部に格納する。以下の説明では、この第２の制御部２００が変換した画像データを「リアルタイム映像」と呼ぶ。
【０１５４】
また、第２の制御部２００は、リアルタイム映像を第１の制御部１００に出力する。出力されたリアルタイム映像は、タッチパネル１１０に表示される。
【０１５５】
カメラ２１０は、入射部２１１を含む。
【０１５６】
入射部２１１は、光が入射する部分である。入射部２１１に入射した光は映像信号に変換され第２の制御部２００に出力される。
【０１５７】
更に、マイク２２０は集音を行う。マイク２２０が集音した音は音響信号に変換され第２の制御部２００に出力される。
【０１５８】
ここで、一体型装置１０００を自動車に設置して使用している場合には、入射部２１１に入射した光及びマイク２２０が集音した音は、ドライブレコーダとして撮像すべき対象となる。ここでドライブレコーダとして撮像すべき対象とは、例えば、自動車の車内からフロントガラス越しに撮像される進行方向の風景及び周囲の音である。そして、第２の制御部２００は、かかるドライブレコーダとして撮像すべき対象を、所定の映像形式で第２の記憶部２３０に記憶することによりドライブレコーダとしての機能を実現する。
【０１５９】
電源部３１０は、一体型装置１０００に含まれる各機能ブロックに電源を供給する。電源部３１０への電源の供給は外部装置からＵＳＢ端子３２０を介して行われる。なお図１では電源部３１０が各機能ブロックに対して給電を行うための配線については図示を省略する。
【０１６０】
ＵＳＢ端子３２０は、ＵＳＢ規格に準拠した端子である。ＵＳＢ端子３２０にはＵＳＢ規格に準拠したケーブルを介して外部装置と接続される。そして、外部装置からはケーブルを介して電源の供給が行われる。また、ケーブルを介して第１の制御部１００と外部装置が通信を行うことも可能である。
【０１６１】
ここで、一体型装置１０００を自動車に設置して使用している場合には、自動車のカーチャージャーに接続されたケーブルがＵＳＢ端子３２０に接続される。そして、一体型装置１０００は自動車のカーチャージャーから電源を供給される。
【０１６２】
以上、本実施形態の機能ブロックについて説明した。
【０１６３】
なお、以上説明した第１の制御部１００及び第２の制御部２００は、それぞれＣＰＵ（Central Processing Unit）等の演算装置や、ＲＡＭ（Random Access Memory）やＲＯＭ（read only memory）等により実現される。そして、ＲＯＭや主記憶部１９０に記憶されているソフトウェアをＣＰＵが読み込み、ＲＡＭに展開させながら演算処理を行うことにより第１の制御部１００及び第２の制御部２００による制御は実現される。
＜本実施形態の処理＞
次に本実施形態が行う処理のそれぞれについて、図を参照して詳細に説明する。
＜リアルタイム映像の録画＞
まず、第２の制御部２００の制御により行われるリアルタイム映像の録画について図２を参照して説明する。本実施形態では、常時録画、マニュアル録画及びイベント録画の３つの録画方法が存在する。
【０１６４】
まず、前提として一体型装置１０００が設置された自動車のエンジンの始動と共にリアルタイム映像の取得は開始される。そして、自動車のエンジンが止められることによりリアルタイム映像の取得は終了となる。
【０１６５】
ここで、自動車のエンジンが動作しているか否かは、例えば、ＵＳＢ端子３２０を介して自動車から電源の供給があるか否かに応じて判断するとよい。つまり、電源の供給が開始されたのならばリアルタイム映像の取得を開始し、電源の供給が終了されたのならばリアルタイム映像の取得を終了するようにする。
【０１６６】
次に、常時録画について説明する。リアルタイム映像の取得が開始されてから、リアルタイム映像の取得が終了するまでの間、リアルタイム映像は第２の記憶部２３０に保存される。つまり自動車のエンジンが動作している間は、常に常時録画が行われる
録画したリアルタイム映像は所定の長さの単位で複数のファイルに分割されて第２の記憶部２３０に保存される。所定の長さの単位は任意であるが、例えば３０秒単位で１つのファイルとするよい。なお以下の説明ではこのファイルを「映像ファイル」と呼ぶ。
【０１６７】
図２左上の「起動から第２の記憶部２３０の容量が一杯となるまで」のように、第２の記憶部２３０の容量であって、常時録画用に割り当てられた容量が一杯となるまで映像ファイルの保存が継続される。常時録画用に割り当てる容量は任意であるが、例えば２０分の長さに対応するだけの映像ファイルが録画可能な容量とするとよい。
【０１６８】
また、第２の記憶部２３０の容量であって、常時録画用に割り当てられた容量が一杯となってからも映像ファイルの保存は継続する。しかし、このままでは容量が足らず、新たな映像ファイルを保存することはできない。そのため、新たな映像ファイルを保存する際に、一番古い映像ファイルから削除するとよい。
【０１６９】
次に、マニュアル録画について説明する。ユーザによりボタン１４０の押下を検出するとマニュアル録画が実行される。そして、ボタン１４０の押下を検知した時点を含む映像ファイルと、その映像ファイルの一つ前の映像ファイルが保護される。つまり、一度の押下に応じて２つの映像ファイルが保護される。ここで保護されるとは、保護した映像ファイルを、常時録画による一番古い映像ファイルの削除の対象から外すということである。
【０１７０】
そして保護された２つの映像ファイル、２つの映像ファイルが撮像された日時及び２つの映像ファイルが撮像された位置を特定する位置情報を紐付けて組として第２の記憶部２３０に格納する。またこの組を識別するために識別符号も更に組に加える必要があるが、２つの映像ファイルが撮像された日時を、単に日時を確認するためだけに使用するではなく、識別符号としても使用するようにするとよい。また、位置情報としてはＧＰＳセンサ１６０により測位された座標情報を第１の制御部１００に要求し、要求に応じて第１の制御部１００から送信される座標情報を使用するようにするとよい。
【０１７１】
更に、第２の制御部２００はマニュアル録画が発生したことを第１の制御部１００に通知する。具体的には、マニュアル録画が発生した旨、マニュアル録画が行われた日時及びマニュアル録画が行われた位置を特定する位置情報を紐付けて組として第１の制御部１００に送信する。そして、第１の制御部１００は、受信した、この組となった情報を主記憶部１９０に格納する。
【０１７２】
保護可能とする件数は第２の記憶部２３０の容量に応じて任意に定めてよいが、例えば、最大事件１０件分、すなわち、映像ファイル２０個分の容量とするとよい。映像ファイル２０個分を保護している状態で、ユーザによるボタン１４０の押下を検出して、新たにマニュアル録画を実行する場合、及び後述のイベント録画を新たに実行する場合には、一番古い映像ファイル２つを保護の対象から外して削除する。これにより新たな映像ファイルを保護の対象とすることが可能となる。
【０１７３】
次に、イベント録画について説明する。第１の制御部１００によりイベントが発生したと判断されるとイベント録画が実行される。なお、第１の制御部１００が、イベントが発生したと判断する基準については、このイベント録画について説明の次に説明する。
【０１７４】
そして、イベントが発生した時点を含む映像ファイルと、その映像ファイルの一つ前の映像ファイルが保護される。つまり、一度のイベント発生に応じて２つの映像ファイルが保護される。
【０１７５】
そして保護された２つの映像ファイル、２つの映像ファイルが撮像された日時及び２つの映像ファイルが撮像された位置を特定する位置情報を紐付けて組として第２の記憶部２３０に格納する。またマニュアル録画と同様に、２つの映像ファイルが撮像された日時を、識別符号としても使用するようにするとよい。更に、位置情報についてもマニュアル録画と同様に、第１の制御部１００から送信された座標情報を使用するようにするとよい。また、マニュアル録画と同様に、位置情報としては第１の制御部１００から送信される座標情報を使用するようにするとよい。
【０１７６】
マニュアル録画と同様に、保護可能とする件数は第２の記憶部２３０の容量に応じて任意に定めてよいが、例えば、マニュアル録画の件数と合算して最大事件１０件分、すなわち、映像ファイル２０個分の容量とするとよい。マニュアル録画と同様に、映像ファイル２０個分を保護している状態で、更に録画を実行する場合には、一番古い映像ファイル２つを保護の対象から外して削除するようにするとよい。
【０１７７】
このように録画された映像ファイルは、ユーザの操作に応じて再生可能なようにする。例えば、図３に表されるように、保護されている映像ファイルが撮像された日時を識別子として、タッチパネル１１０にリスト表示する。そして、ユーザによる選択をタッチパネル１１０にて受け付けて、選択に応じた映像ファイルをタッチパネル１１０上に再生する。なお、ユーザが、マニュアル録画とイベント録画を区別可能なように、マニュアル録画の場合は図３のｉ１のようなアイコンを付し、イベント録画の場合はｉ１とは異なる形状の図３のｉ２のようなアイコンを付すようにしている。
【０１７８】
＜イベントの発生判断＞
本実施形態では、第１の制御部１００が、イベントが発生したことを判断する。
【０１７９】
このイベントの発生を判断するために、自動車の移動に伴って変化する測定情報である加速度センサ１７０により測定される加速度と、閾値を使用する。そして、測定した加速度が閾値を超えた場合にイベントが発生したと判断する。このようにすることにより、自動車が他の移動体や設置物に衝突したことや、自動車を運行するユーザの運転に基づく急停止や急発信及び急旋回があったということ、すなわちイベントが発生したことが判断できる。
【０１８０】
また、閾値は１つのみではなく段階的に複数設ける。そして、加速度センサ１７０の測定値が段階的に設けた閾値の何れを超えたかも判断することにより、単に自動車が他の移動体や設置物に衝突したということのみならず、衝突した際の衝撃がどの程度であったかも判断することができる。
【０１８１】
例えば、一番敏感な段階の閾値を０．５Ｇとし、そこから段階的に鈍感とする。つまり二番目に鈍感な段階の閾値を０．８Ｇ、中間の段階の閾値を１．１Ｇ、二番目に鈍感な段階の閾値を１．４Ｇ、もっとも鈍感な段階の閾値を１．７Ｇ、というように、段階的に例えば５段階設定する。
【０１８２】
そして、加速度センサ１７０の測定値が例えば０．５Ｇ未満であれば、イベントが発生したとは判断しない。また、加速度センサ１７０の測定値が例えば０．９Ｇであれば、二番目に鈍感な段階の閾値を超えているので、レベル２のイベントが発生したと判断する。また、例えば、加速度センサ１７０の測定値が例えば１．９Ｇであれば、一番鈍感な段階の閾値を超えているので、レベル５のイベントが発生したと判断する。このように加速度センサ１７０の測定値が高いほど、高レベルのイベントが発生したと判断する。これは言い換えると、イベントのレベルが高いほど、大きな衝撃が検知されたということとなる。
【０１８３】
イベントが発生したと判断された場合には、第１の制御部１００は、イベントが発生した位置を特定するための位置情報、発生したイベントのレベル及びイベントが発生した日時を紐付けて組として主記憶部１９０に格納する。また、第２の制御部２００がマニュアル録画やイベント録画の際に行っているのと同様にして、イベントが発生した日時を、各イベントを識別するための識別符号としても使用するようにするとよい。
【０１８４】
更に、イベントが発生したと判断された場合、第１の制御部１００は、報知用ＬＥＤ１３０を点灯又は点滅させることにより、ユーザにイベントの発生を知らせる。また、第１の制御部１００は、併せて「＊＊＊＊＊イベントが発生しました」のようなメッセージをタッチパネル１１０上にポップアップ表示する。
【０１８５】
例えば、ナビゲーション機能を使用している場合には地図上にメッセージをポップアップ表示する。このメッセージの表示例が図４に表されている。
【０１８６】
まず図４に表されるようにタッチパネル１１０全体には運行案内用の地図が表示されている。そして、図４に表されるｉ３がイベントの発生を表すためにポップアップ表示されているメッセージである。このメッセージの「＊＊＊＊＊」には、発生したイベントのレベルを表示する。例えば「レベルが３のイベントが発生しました」のように表示するとよい。また、かかるメッセージは緊急性があるものであり、ユーザには伝える重要度が高い。そのため、ナビゲーション機能以外の機能を使用しているとき、例えばテレビ映像を再生中であっても、テレビ映像上にメッセージをポップアップ表示するとよい。
【０１８７】
また図４に表されるｉ４のエリアには運行案内に用いる各種情報が表示されるエリアが設けられる。図４に表される例では、このエリアに上から、例えばＧＰＳ衛星から取得した現在時刻、ＧＰＳ信号の受信強度及び方位、地図の縮尺を表す値、ショートカットボタン１４０が配置されている。
【０１８８】
ここで、ショートカットボタン１４０は、押下の度に画面を切り替えるボタン１４０である。画面の切り替え、すなわち、画面の遷移に関しては後述するので、ここでは詳細な説明を省略する。
【０１８９】
また、図４に表されるｉ５には、一体型装置１０００が設置されている自動車の現在の走行速度が表示される。
【０１９０】
また、図４に表されるｉ６には、一体型装置１０００が設置されている自動車が現在走行している場所の住所や道路名称、緯度・経度が表示される。また、図４に表されるｉ６が押下されるとメニュー画面が表示されるようにするのもよい。
【０１９１】
また、上述したようにイベントが発生したと判断された場合にはイベント録画が行われる。
＜表示方法＞
次に、本実施形態における表示方法について説明する。本実施形態では、イベントが発生したためイベント録画を行った位置や、ユーザの操作に応じてマニュアル録画を行った位置をカーナビゲーションシステム機能により表示される運行案内用の地図上に例えばアイコンとして表示する。なお、以下の説明ではこのアイコンを「イベントアイコン」と呼ぶ。
【０１９２】
そして、ユーザがタッチパネル１１０上のかかるイベントアイコンを押下したことを契機として、対応する画像データを再生する。ここで、対応する画像データはドライブレコーダの機能により撮像されたものである。つまり、本実施形態ではカーナビゲーション機能とドライブレコーダの機能を連携させる。
【０１９３】
イベントアイコンは、単色であってもよいが、例えばイベントのレベルに応じて異なる色とするとよい。こうすることにより、イベントアイコンを参照したユーザは、単にイベントがあった位置が分かるだけではなく、「レベルがいくつの」イベントがあった、ということまでが分かるからである。
【０１９４】
更に、イベントが発生したためイベント録画を行った位置であるのか、ユーザの操作に応じてマニュアル録画を行った位置であるのかも、区別できるようにすることが好ましい。そこで、マニュアル録画を行った位置を表すイベントアイコンの色は、イベント録画を行った位置を表すイベントアイコンの色と異なる色とする。また、ユーザが直感的に認識できるように例えば信号標識に準じて色を割り当てるとよい。
【０１９５】
例えば、軽微な衝撃に基づくイベントであるレベル１のイベントのイベントアイコンは緑とする。また、中間レベルの衝撃に基づくイベントであるレベル１のイベントのイベントアイコンは黄色とする。更に、大きな衝撃に基づくイベントであるレベル５のイベントのイベントアイコンは赤とする。また、マニュアル録画に対応するイベントアイコンは藍色にする。
【０１９６】
この色の割り当ての例を表にしたものが以下の［表１］である。以下の説明においてはこの割り当てに基づいて説明を行う。
【０１９７】
【表１】
2019135149.tif 000003
【０１９８】
そして、このように色を割り当てたイベントアイコンを図５のように運行案内用の地図上に重ねてタッチパネル１１０上に表示する。
【０１９９】
更に、図２を参照して上述したように、本実施形態では、マニュアル録画及びイベント録画のそれぞれについて録画可能な件数の上限が定まっている。例えば、マニュアル録画及びイベント録画について合計で映像ファイルが２０個、つまり合計で１０件が上限となっている。そして、新たな録画を行う際は、ユーザが未だ視聴していない場合であったとしても一番古いから削除されていく。そのため、ユーザにそろそろ削除されてしまう古いものがどれであるのかを把握させておくことが好ましい。そして、削除前に視聴しておくこと促すことが好ましい。
【０２００】
また、ユーザには、どのイベントアイコンが、ついさっき起きたイベント録画に対応するものなのか、どのイベントアイコンが例えば３回前に行ったマニュアル録画に対応するものなのか、等も把握可能にさせておくことが好ましい。
【０２０１】
そこで、各イベントアイコンを単に色分け表示するだけではなく、例えばイベントアイコンを時系列に沿った番号を含んだ丸付き数字とする。これにより、ユーザは、どのイベントアイコンが新しいものであるか、古いものであるか、また、いくつ前のものであるか、の全てが把握可能となる。
【０２０２】
これらのイベントアイコンを表示するために、第１の制御部１００は、主記憶部１９０に格納されている地図情報を用いる。また、マニュアル録画が発生した際に第２の制御部２００から受信して、主記憶部１９０に格納した情報である「マニュアル録画が発生した旨、マニュアル録画が行われた日時及びマニュアル録画が行われた位置を特定する位置情報を紐付けて組としたもの」を用いる。更に、イベントが発生した際に主記憶部１９０に格納した情報である「イベントが発生した位置を特定するための位置情報、発生したイベントのレベル及びイベントが発生した日時を紐付けて組としたもの」を用いる。
【０２０３】
これらの内容でイベントアイコンを表示した場合の具体例が図５に表されている。
【０２０４】
図５を参照すると、まずタッチパネル１１０に運行案内用の地図が表示されている。そして、地図上のｉ８は、藍色でありマニュアル録画が行われた位置を表すイベントあいこんであることが分かる。また、その番号は１となっていることから直近にマニュアル録画が行われた位置を表すものであることも分かる。
【０２０５】
また、地図上のｉ９は、黄色でありレベル３のイベント録画が行われた位置を表すイベントあいこんであることが分かる。また、その番号は２となっていることから、地図上のｉ８で行われたマニュアルイベントの一つ前に行われたイベント録画の位置を表すものであることも分かる。
【０２０６】
更に、地図上のｉ１０は、赤色でありレベル５のイベント録画が行われた位置を表すイベントあいこんであることが分かる。また、その番号は３となっていることから、地図上のｉ９に対応するイベント録画の一つ前に行われたイベント録画の位置を表すものであることも分かる。
【０２０７】
更に、地図上のｉ１１は、緑色でありレベル１のイベント録画が行われた位置を表すイベントあいこんであることが分かる。また、その番号は４となっていることから、地図上のｉ１０に対応するイベント録画の一つ前に行われたイベント録画の位置を表すものであることも分かる。
【０２０８】
更に、地図上のｉ１２は一体型装置１０００が設置されている自動車の現在位置及び進行方向を表すイベントアイコンである。
【０２０９】
図５に表示される情報を参照したユーザは、例えば「以前、レベル５のイベントを発生させてしまった場所に近づいているので、今回はイベントが発生するような運転をしないようにしよう。」等の判断や、「このまま進めば以前マニュアル録画を行った場所を通るな。」といった判断を行うことが可能となる。つまり、ユーザにとって有益な情報を提示することが可能となる。
【０２１０】
また、ユーザがイベントアイコンを押下した場合には、イベントアイコンに対応する映像ファイルの再生を行う。
【０２１１】
具体的には、何れかのイベントアイコンの押下があった場合に、図６のｉ１３のように、そのイベントアイコンを含むイベントアイコンのリストをタッチパネル１１０の例えば右半分に表示する。そのために、図６のｉ１４のように、地図は例えば左半分に表示する。
【０２１２】
そして、第１の制御部１００がタッチパネル１１０の何処が押下されたかに基づいて、ユーザがイベントリスト内の何れのイベントアイコンが押下したかを判断する。そして、押下されたイベントアイコンに対応するイベントのイベント録画が行われた日時、又は押下されたイベントアイコンに対応するマニュアル録画が行われた日時を主記憶部１９０より読みだす。そして、読みだした日時を第２の制御部２００に送信する。
【０２１３】
第２の制御部２００は、受信した日時を検索キーとして第２の記憶部２３０を検索する。そして、日時に対応する映像ファイルを読み出す。ここで、映像ファイルは、各マニュアル録画及び各イベント録画毎に２つが組となっていることから、この組となっている２つの映像ファイルが読み出される。そして、第２の制御部２００は読みだしたこれら２つの映像ファイルを復号して画像データとする。そして、画像データを第１の制御部１００に送信する。
【０２１４】
第１の制御部１００は、受信した画像データをタッチパネル１１０に出力することにより再生を行う。ユーザは再生された画像データを参照することにより、マニュアル録画やイベント録画が行われた際の様子を確認することが可能となる。
【０２１５】
次に、イベントアイコンとは別途のアイコンである履歴アイコンについて説明する。上述のように、マニュアル録画及びイベント録画について映像ファイルを保護できる件数には上限があることから、例えば１０件を超えたような場合には、映像ファイルは古いものから順番に削除されていく。そのため、削除された映像ファイルに対応するイベントアイコンも削除されることとなる。
【０２１６】
ここで、映像ファイルを削除する理由は、第２の記憶部２３０の容量を考慮しているからであり、可能であれば１０件より以前のマニュアル録画やイベント録画についての情報を地図に表示することが好ましい。
【０２１７】
この点、主記憶部１９０に格納されているマニュアル録画やイベント録画についての発生位置の情報等のデータサイズは、映像ファイルのデータサイズに比較すると、小さいサイズである。
【０２１８】
そのため、これらの情報を削除することなく主記憶部１９０に格納したままとしておく。そして、これらの情報を用いて、マニュアル録画やイベント録画についての発生位置や、イベント録画のレベルを表すアイコンを地図上に表示するようにする。以下の説明では、かかるアイコンをイベントアイコンと区別するために「履歴アイコン」と呼ぶ。
【０２１９】
なお、履歴アイコンを表示するために要するデータ量は上述のように少ない。かといってあまりにも過去のマニュアル録画やイベント録画についてまで履歴アイコンを表示することとしてしまうと、画面上に非常に多くのアイコンが表示されてしまい、運行案内の妨げとなる。
【０２２０】
そこで、表示対象とするアイコンの数に上限を設ける。例えば、イベントアイコン１０件、履歴アイコン４９０件の計５００件とする。
【０２２１】
また、履歴アイコンとイベントアイコンを区別する必要がある。そのために、例えば履歴アイコンの形状とイベントアイコンの形状や大きさを異ならせるようにする。例えば、丸型と矩形型のように形状を異ならせるようにする。または、共に同じ丸型であるが、イベントアイコンの方が大きく、履歴アイコンの方が小さい、というようにして大きさを異ならせる。また、何れの場合であっても、各履歴アイコンの色を判別できる形状及び大きさにする。以下の説明では履歴アイコンを菱型で表示するものとして説明する。
【０２２２】
なお、履歴アイコンを表示するために使用する情報は、具体的には、マニュアル録画が発生した際に第２の制御部２００から受信して、主記憶部１９０に格納した情報である「マニュアル録画が発生した旨、マニュアル録画が行われた日時及びマニュアル録画が行われた位置を特定する位置情報を紐付けて組としたもの」を用いる。更に、イベントが発生した際に主記憶部１９０に格納した情報である「イベントが発生した位置を特定するための位置情報、発生したイベントのレベル及びイベントが発生した日時を紐付けて組としたもの」を用いる。
【０２２３】
これらの内容でイベントアイコンを表示した場合の具体例が図７に表されている。図７の具体例は、図５の具体例で示したイベントアイコンに対応する映像ファイルが古くなったことにより削除され、履歴アイコンに置き換わったものである。
【０２２４】
図７を参照すると、まずタッチパネル１１０に運行案内用の地図が表示されている。そして、地図上のｉ１５は、藍色でありマニュアル録画が行われた位置を表す履歴アイコンである。
【０２２５】
また、地図上のｉ１６は、黄色でありレベル３のイベント録画が行われた位置を表す履歴アイコンである。
【０２２６】
更に、地図上のｉ１７は、赤色でありレベル５のイベント録画が行われた位置を表す履歴アイコンである。
【０２２７】
更に、地図上のｉ１８は、緑色でありレベル１のイベント録画が行われた位置を表す履歴アイコンである。
【０２２８】
更に、地図上のｉ１９は一体型装置１０００が設置されている自動車の現在位置及び進行方向を表すアイコンである。
【０２２９】
このように、イベントアイコンのみならず履歴アイコンも表示することにより、ユーザはイベントが頻繁に発生している箇所等を把握することが可能となる。
＜画面遷移＞
次に、自動車の状況やユーザの操作に応じて画面がどのように遷移するのかについて図８乃至図１０の遷移図を参照して説明する。
【０２３０】
まず、図８を参照する。第１の制御部１００が起動すると、画面Ｓ１のようにメインメニューが表示される。メインメニュー画面では、ナビゲーション、テレビ、ミュージック、ピクチャー、及びドライブレコーダの各種機能が選択できる。このうち、本実施形態の特徴である、ナビ及びドライブレコーダの機能について説明する。
【０２３１】
画面Ｓ１において［ナビ］ボタン１４０が選択されると、ナビゲーション機能が起動し、画面Ｓ２に遷移する。
【０２３２】
画面Ｓ２では図５や図７を参照して説明したように、運行案内用の地図上にイベントアイコンや履歴アイコンが表示され、音声出力を伴って運行案内が実行される。かかる表示の内容は、上述した＜表示方法＞の欄において説明した内容となる。また、第１の制御部１００によるイベントの発生判断方法や、イベント発生時の時の動作等は、上述した＜イベントの発生＞の欄において説明した内容となる。ここで、ユーザが［ショートカット］ボタン１４０を押下したとする。ここで、［ショートカット］ボタン１４０には、「カメラ２１０映像」が対応付けられているとする。この場合、画面Ｓ３に遷移し、画面上には現在カメラ２１０が撮像している映像であるリアルタイム映像が表示される。この状態で、ユーザが［終了］ボタン１４０を押下すると、画面Ｓ２に遷移し、再度運行案内が実行される。
【０２３３】
また、画面Ｓ２の状態で何れかの［アイコン］ボタン１４０の押下があった場合には、押下されたイベントアイコン又は履歴アイコンに対応する映像ファイルを再生するための処理が開始される。具体的には、画面Ｓ４に遷移し、常時録画が一時中断されることになる旨のメッセージを出力すると共に、ユーザによる［はい］又は［いいえ］の何れかのボタン１４０の選択を受け付ける。
【０２３４】
ここで、常時録画を一時中断する理由であるが、こうすることにより、画像データ再生中に新たにイベントが発生した判断した場合に再生中の画像データが上書きされてしまうような事態を防止することが可能となるからである。
【０２３５】
また、画像データそれぞれに番号を割り当ててリスト化して管理しているような場合であって、且つ、画像データ再生中に新たにイベントが発生した判断した場合に、新たな画像データに割り当てる番号と再生中の画像データに割り当てられている番号が重複してしまうような事態を防止することも可能となる。例えば、現在再生中の録画データを最新の画像データであるとして管理している場合に、新たな画像データが発生してしまうと、再生終了後に、何れのデータが最新のデータであるかが管理できなくなってしまうというような事態を防止することが可能となるからである。
【０２３６】
ここで、ユーザが［いいえ］のボタン１４０を押下した場合には、画面Ｓ２に遷移し、運行案内を継続する。
【０２３７】
一方で、ユーザが［はい］のボタン１４０を押下した場合には、画面Ｓ５に遷移し、図６を参照して説明したようにイベントリストを画面の右半分に表示させる。ここで、今回ユーザは画面Ｓ５のイベントリストから選択したアイコンに対応する映像ファイルを再生するのではなく、画面Ｓ２で選択したアイコンに対応する映像ファイルを再生することを希望している。
【０２３８】
そこで、イベントリスト全体を［イベント項目］ボタン１４０として扱い、この［イベント項目］ボタン１４０の１回目の押下があった場合に、画面Ｓ２で選択したアイコンのある座標値に地図を移動する。そして、更に［イベント項目］ボタン１４０の２回目の押下があった場合に画面Ｓ６に遷移して動画再生を開始する。
【０２３９】
画面Ｓ６では、動画の生成のための処理を行う間「映像を再生します。」とのメッセージを表示させる。そして、「映像を再生します。」とのメッセージを、動画の生成のための処理を行うのに必要な所定時間以上の長さ表示すると、タイムアウトしたと判断して画面Ｓ７に遷移する。そして、画面Ｓ７上で、画面Ｓ２で選択したアイコンに対応する映像ファイルを再生する。
【０２４０】
そして、撮影中又は撮影後にユーザから［戻る］ボタン１４０の押下を受け付けると画面Ｓ５に遷移する。そして、画面Ｓ５にて［Ｂａｃｋ］ボタン１４０の押下を受け付けると、画面Ｓ２に遷移し、運行案内を継続する。また、常時録画をユーザの操作を要することなく再開する。
【０２４１】
次に、上述したように画面Ｓ２の状態で何れかの［アイコン］ボタン１４０の押下があった場合に、押下されたアイコンに対応する映像ファイルを再生するのではなく、ユーザがイベントリストからアイコンを選択し、このイベントリストから選択されたアイコンに対応する映像ファイルを再生する際の動作について説明をする。
【０２４２】
画面Ｓ２の状態で、画面下部に儲けられた［ＭＥＮＵ］ボタン１４０の押下を受け付けると、ナビゲーション機能のメニュー画面である画面Ｓ８に遷移する。
【０２４３】
その後、画面Ｓ８の状態で［登録・編集］ボタン１４０の押下を受け付けると、登録・編集のメニュー画面である画面Ｓ９に遷移する。
【０２４４】
そして、画面Ｓ９の状態で［イベント］ボタン１４０の押下を受け付けると図９の画面Ｓ１０に遷移する。
【０２４５】
画面Ｓ１０では、画面Ｓ４と同様に、常時録画が一時中断されることになる旨のメッセージを出力すると共に、ユーザによる［はい］又は［いいえ］の何れかのボタン１４０の選択を受け付ける。常時録画が一時中断される理由は画面Ｓ４の説明の際に述べた通りである。
【０２４６】
ここで、ユーザが［いいえ］のボタン１４０を押下した場合には、登録・編集のメニュー画面である図８の画面Ｓ９に遷移する。
【０２４７】
一方で、ユーザが［はい］のボタン１４０を押下した場合には、画面Ｓ１１に遷移し、図６を参照して説明したようにイベントリストを画面の右半分に表示させる。画面Ｓ５の場合と異なり、ユーザは画面Ｓ２でアイコンを選択していないため、画面Ｓ５のイベントリストからのユーザのアイコンの選択を受け付ける。
【０２４８】
そして、ユーザにより選択されたアイコンに対応する映像ファイルの再生を開始する。その後の画面Ｓ６及び画面Ｓ７での処理については、画面Ｓ５から画面Ｓ６に遷移した際の処理と同様なので、詳細な説明を省略する。なお、図９では画面Ｓ７で戻るボタン１４０の押下があった際に画面Ｓ５に戻ることとなっているが、画面Ｓ７ではなく画面Ｓ１１も戻るようにするのもよい。
【０２４９】
以上カーナビゲーション機能を使用する際の画面遷移について説明した。次に、ドライブレコーダ機能を使用する際の画面遷移について説明する。
【０２５０】
まず、画面Ｓ１において［ドライブレコーダ］ボタン１４０が押下されると、図１０に記載の画面Ｓ１２又は画面Ｓ１３に遷移する。ここで、何れの画面に遷移するかの条件であるが、一体型装置１０００が自動車に設置されておらず、電源部３１０に含まれる二次電池から一体型装置１０００が給電を受けている場合には、画面Ｓ１２に遷移する。一方で、一体型装置１０００が自動車に設置されており、一体型装置１０００が自動車から給電を受けている場合には、画面Ｓ１３に遷移する。
【０２５１】
まず、前者の一体型装置１０００が自動車に設置されておらず、電源部３１０に含まれる二次電池から一体型装置１０００が給電を受けていることから画面Ｓ１２に遷移する場合について説明する。この場合、二次電池の電池容量には上限があることから、消費電力を抑える必要がある。また、この場合はユーザが一体型装置１０００を持ち運んで使用していることとなり、カメラ２１０は固定されている訳ではないのでドライブレコーダの機能を有効に活用することは困難である。そこで、本実施形態では二次電池から給電されている場合にはドライブレコーダの機能を動作させないこととする。そして、その旨をユーザに伝えるため、画面Ｓ１２に遷移すると、例えば「内蔵電池での本機駆動中は、ドライブレコーダの録画・再生機能は動作いたしません。」といったメッセージを表示する。そして、ユーザがこのメッセージを認識できると考えられる所定の時間が経過すると、タイムアウトしたと判断して画面Ｓ１に遷移する。
【０２５２】
次に、一体型装置１０００が自動車に設置されており、一体型装置１０００が自動車から給電を受けていることから画面Ｓ１３に遷移する場合について説明する。
【０２５３】
画面Ｓ１３ではカメラ２１０により撮像しているリアルタイム映像を全画面表示で再生する。そして、この状態でユーザよりタッチパネル１１０の押下を受け付けると、すなわち、画面の何れかがタッチされると、画面Ｓ１４に遷移する。
【０２５４】
そして、画面Ｓ１４では［アプリケーション終了］ボタン１４０を表示する。そして、ユーザから、この［アプリケーション終了］ボタン１４０の押下を受け付けると、ドライブレコーダ機能を実現するアプリケーションの動作を終了させ、画面Ｓ１に遷移する。一方で、画面Ｓ１４において画面の押下を受け付けると再度画面Ｓ１３に戻り、リアルタイム映像を全画面表示で再生する。なお、画面Ｓ１４では、例えば設定変更用のボタン１４０を表示し、かかる設定変更用のボタン１４０が押下された場合には、例えばドライブレコーダ機能に関する各種設定を行うための画面に更に遷移するようにするとよい。
【０２５５】
また、画面Ｓ１３及び画面Ｓ１４が表示されている際にユーザの操作を受け付けると、これを契機として、図２の中段を参照して説明したマニュアル録画を開始するようにする。つまり、画面Ｓ１３及び画面Ｓ１４で再生されるリアルタイム映像は、マニュアル録画を行うためのプレビュー画像として利用される。
＜バッテリ制御＞
次に、本実施形態におけるバッテリの制御に関して説明する。
【０２５６】
本実施形態の一体型装置１０００の電源部３１０は、図１を参照して説明したようにＵＳＢ端子３２０を介して外部の装置から電源の供給を受ける。ここで、外部の装置とは例えば一体型装置１０００を設置する自動車である。
【０２５７】
具体的には、自動車のシガーライターソケットに、シガープラグコードの一方を差し込む。そして、シガープラグコードの他方をＵＳＢ端子３２０に接続する。また、シガープラグコードは、コンバータ付きのものを使用する。シガープラグコード及びコンバータは、例えば定格電圧５Ｖであって定格電流２Ａであるとする。
【０２５８】
その後、自動車のエンジンが始動するとこれに連動してシガーライターソケットからの給電が開始される。そして、自動車のエンジンが停止すると、シガーライターソケットからの給電も停止する。
【０２５９】
次に図１１を参照して、電源部３１０の詳細な構成について説明する。図１１を参照すると電源部３１０は、電源制御部３１１、リチウムイオンバッテリ３１２及びスーパーキャパシタ３１３（登録商標）を含む。また、電源部３１０は第１の制御部１００及び第２の制御部２００と接続される。なお、図１に表された機能ブロックのうち、バッテリ制御の説明に直接関係しない機能ブロックについては、図１１では図示を省略する。
【０２６０】
なお、スーパーキャパシタ３１３は本発明の「蓄電器」に相当する。また、リチウムイオンバッテリ３１２は本発明の「二次電池」に相当する。更に、自動車のシガーライターソケットから給電される電源は本発明の「外部電源」に相当する。
【０２６１】
ここで、電源制御部３１１は、何れのデバイスに対して電圧を印加するかを制御する機能を有する。電源制御部３１１は、例えば、パワーマネジメントＩＣにより実現される。また、第１の制御部１００が電源制御部３１１の制御の一部又は全部を行うようにするのもよい。図１１では第１の制御部１００が電源制御部３１１を制御するための信号を送受信するための信号線を破線で記載する。一方で、電圧を印加するための線については実線にて図１１に記載する。
【０２６２】
リチウムイオンバッテリ３１２は、充電を行うことにより電気を蓄え、その後電池として使用可能な二次電池である。リチウムイオンバッテリ３１２は、電源制御部３１１の制御により充電される。そして、第１の制御部１００は、一体型装置１０００が外部装置から電源の供給を受けているときは、かかる外部装置から供給される電源により駆動する。
【０２６３】
一方で、第１の制御部１００は、一体型装置１０００が外部装置から電源の供給を受けていないときは、リチウムイオンバッテリ３１２が供給する電源により駆動する。また、＜画面遷移＞の説明の欄においても上述したが、一体型装置１０００が外部装置から電源の供給を受けておらず、リチウムイオンバッテリ３１２が供給する電源により駆動しているときはドライブレコーダの機能を停止させる。これは消費電力を低減することが目的であるので、単に第２の制御部２００にて動作するソフトウェアをシャッタダウンするだけではなく、第２の制御部２００への電圧の印加自体を取り止めることとする。
【０２６４】
スーパーキャパシタ３１３は、蓄電器であり、一体型装置１０００が外部装置から電源の供給を受けている際に蓄電される。
【０２６５】
この点、本実施形態では、一体型装置１０００が自動車より取り外されると、第２の制御部２００は、自身がキャッシュしている情報を不揮発性メモリである第２の記憶部２３０に格納する等のシャットダウン処理を行うことによりデータが破損しないようにする。
【０２６６】
しかしながら、上述したように一体型装置１０００が自動車より取り外されると、第２の制御部２００への電圧の印加が取り止められてしまう。そこで、第２の制御部２００は、スーパーキャパシタ３１３に蓄えられた電荷を使用して、このシャットダウン処理を行う。そのため、スーパーキャパシタ３１３はこのようにシャットダウン処理を行うことを保証できる容量のものを使用する。
【０２６７】
なお、第２の制御部２００がキャッシュしている情報とは、例えばキャッシュ済みであって、映像ファイルに変換前のリアルタイム映像である。
【０２６８】
第１の制御部１００は、電源の制御も行う。例えば第１の制御部１００は、図１に表される各部のなかでも特に、タッチパネル１１０、スピーカ１２０、報知用ＬＥＤ１３０、ボタン１４０、テレビチューナ１５０、ＧＰＳセンサ１６０、加速度センサ１７０、第１の記憶部１８０及び主記憶部１９０の電源制御を行う。また、電源制御部３１１の制御の一部又は全部を第１の制御部１００が行うようにするのもよい。
【０２６９】
一方、第２の制御部２００は、図１に表される各部のなかでも特に、カメラ２１０、マイク２２０及び第２の記憶部２３０の電源制御を行う。
【０２７０】
次に、本実施形態におけるバッテリ制御の基本的な考えについて説明する。本実施形態では第１の制御部１００及び第２の制御部２００の起動、並びにスーパーキャパシタ３１３及びリチウムイオンバッテリ３１２の充電の全てを並行して行うのではなく、行うタイミングを制御することにより、段階的に行う。これは、シガープラグコードの定格電流を超えることなく、第１の制御部１００及び第２の制御部２００の起動、並びにスーパーキャパシタ３１３及びリチウムイオンバッテリ３１２の充電を行うためである。
【０２７１】
ここで、シガープラグコードの定格電流は、例えば２Ａである。この点、定格電流２Ａを超えるシガープラグコードを使用することも考えられる。しかしながら、定格電流が大きくなるに従い、シガープラグコードを太くする必要が生じる。なぜならば、コードを形成する電線などの導体にも小さいながら抵抗があり、その発熱によって絶縁被覆が溶解するおそれ等があることから、電流を大きくするに従いコードも太くする必要があるからである。
【０２７２】
もっとも、コードを太くしてしまうと、コードの取り回しがしにくくなり、自動車内という限られた空間で一体型装置１０００を使用するユーザにとって非常に不便である。また、太いコードを使用すると製造コストが上昇するという問題もある。
【０２７３】
そこで、本実施形態では、上述したように、第１の制御部１００及び第２の制御部２００の起動、並びにスーパーキャパシタ３１３及びリチウムイオンバッテリ３１２の充電の全てを並行して行うのではなく、行うタイミングを制御することにより、段階的に行う。これにより、本実施形態では、一体型装置１０００起動時の、電流の最大値を抑える。
【０２７４】
次に、図１２のフローチャート及び図１３のフローチャートを参照して、本実施形態の電源制御処理について詳細に説明を行う。
【０２７５】
まず、一体型装置１０００がシャットダウン状態である場合にカーチャージャーに接続されている状態で、自動車のエンジンが始動する。これに伴い、一体型装置１０００への電源の供給が開始される（ステップＡ１においてＹｅｓ）。
【０２７６】
すると、電源制御部３１１が第１の制御部１００に対して電圧の印加を開始する。これにより第１の制御部１００が起動処理を開始する（ステップＡ２）。かかる起動処理には、例えば、タッチパネル１１０やＧＰＳセンサ１６０を起動させるための処理も含まれる。
【０２７７】
起動処理を行った第１の制御部１００はタッチパネル１１０に表示を行う。この際表示されるのは、図８に表される画面Ｓ１である。そして、［ナビ］ボタン１４０の押下に応じて、ナビゲーション機能が実行される（ステップＡ３）。また、仮に［ドライブレコーダ］ボタン１４０が押下されたとしても、ドライブレコーダ機能はまだ実行されていない。そこで、図１４に表される画面Ｓ１４のように「ドライブレコーダを起動中です。しばらくお待ち下さい。」等のメッセージを画面に表示する。そして、ユーザがこのメッセージを認識できると考えられる所定の時間が経過すると、タイムアウトしたと判断して画面Ｓ１に遷移する。このように、まず、第１の制御部１００を起動させてタッチパネル１１０に表示を行うことにより、起動処理が行われていることをユーザに伝達することが可能とする。
【０２７８】
また、電源制御部３１１はスーパーキャパシタ３１３へ電圧の印加を開始する。これに伴い、スーパーキャパシタ３１３は蓄電を開始し、スーパーキャパシタ３１３の電圧は上昇していく（ステップＡ４）。
【０２７９】
次に、現在のスーパーキャパシタ３１３の電圧が、所定の第１の電圧よりも大きくなったか否かの判定を行う（ステップＡ５）。そして、現在のスーパーキャパシタ３１３の電圧が、所定の第１の電圧よりも大きくなると（ステップＡ５においてＹｅｓ）、電源制御部３１１は第２の制御部２００に対して電圧の印加を開始する。これにより、第２の制御部２００は起動処理を開始する。この起動処理にはカメラ２１０やマイク２２０が起動するための処理も含まれる。
【０２８０】
しかしながら、ドライブレコーダ機能を実行してしまうと、電流の最大値がシガープラグコードの定格電流を超えてしまう可能性がある。そこで、第２の制御部２００は起動処理を行うが、未だドライブレコーダの機能は実行しないままとしておく。従って、この時点で［ドライブレコーダ］ボタン１４０が押下されたとしても、ステップＡ３同様に図１４に表される画面Ｓ１４のようなメッセージが表示され、ドライブレコーダの機能は実行されない。
【０２８１】
次に、現在のスーパーキャパシタ３１３の電圧が、所定の第２の電圧よりも大きくなったか否かの判定を行う（ステップＡ７）。ここで、所定の第２の電圧は、所定の第１の電圧よりも大きい値である。
【０２８２】
そして、現在のスーパーキャパシタ３１３の電圧が、所定の第２の電圧よりも大きくなると（ステップＡ７においてＹｅｓ）、スーパーキャパシタ３１３へは充分蓄電されたこととなり、スーパーキャパシタ３１３への蓄電に多くの電流は必要ではなくなる。そこで、ステップＡ７においてＹｅｓとなったことを契機としてステップＡ８に移行し、第２の制御部２００はドライブレコーダ機能を実行する（ステップＡ８）。更に、電源制御部３１１はリチウムイオンバッテリ３１２への電圧の印加を開始する。これによりリチウムイオンバッテリ３１２の充電が開始される（ステップＡ９）。
【０２８３】
以上申し述べたように、本実施形態では、一体型装置１０００に含まれる各部へ電圧を印加するタイミングを制御する。これにより、一体型装置１０００起動時の、電流の最大値を抑えることができ、シガープラグコードを必要以上に太くする必要もなくなる、という効果を奏する。
【０２８４】
この点について具体的な値を用いて説明する。例えば、ステップＡ２における第１の制御部１００への電圧の印加に伴い、例えば、１．３Ａが使用されるとする。また、ステップＡ４におけるスーパーキャパシタ３１３への電圧の印加に伴い、例えば、少なくてもステップＡ５においてＹｅｓとなるまでの間０．５Ａが使用されるとする。更に、ステップＡ６における第２の制御部２００への電圧の印加に伴い、例えば、０．２〜０．３Ａが使用されるとする。更に、ステップＡ９におけるリチウムイオンバッテリ３１２への電圧の印加に伴い、例えば、０．３５Ａが使用されるとする。
【０２８５】
これらの電流を合計すると、合計２．３５〜２．３６Ａが必要となり、上述したシガープラグコードの定格電流２Ａを超えてしまう。しかしながら、本実施形態では、一体型装置１０００に含まれる各部へ電圧を印加するタイミングを制御することにより、定格電流２Ａを超えることなく一体型装置１０００を起動させることが可能となる。
【０２８６】
次に、図１３を参照して一体型装置１０００起動後のバッテリ制御について説明する。
【０２８７】
ナビゲーション機能及びドライブレコーダ機能を実行させている一体型装置１０００は、自動車のエンジンが停止したことに伴い、カーチャージャーからの電源の供給が中断したか否かの監視を継続する。また、ＵＳＢ端子３２０からシガープラグコードが外されることにより、又はシガープラグコードがカーチャージャーから外されることにより、一体型装置１０００がカーチャージャーから取り外されたか否かの監視を継続する（ステップＡ１０においてＮｏ及びステップＡ１２においてＮｏ）。
【０２８８】
そして、自動車のエンジンが停止したことに伴い、カーチャージャーからの電源の供給が中断された場合（ステップＡ１０においてＹｅｓ）、第１の制御部１００及び第２の制御部２００のシャットダウン処理を行う。この際、第１の制御部１００のシャットダウン処理はリチウムイオンバッテリ３１２による給電により行われ、第２の制御部２００のシャットダウン処理はスーパーキャパシタ３１３による給電により行われる。そして、ステップＡ１に戻り、再度の電源の供給まで待機する。
【０２８９】
一方で、ＵＳＢ端子３２０からシガープラグコードが外されることにより、又はシガープラグコードがカーチャージャーから外されることにより、一体型装置１０００がカーチャージャーから取り外された場合（ステップＡ１２においてＹｅｓ）、第２の制御部２００は、スーパーキャパシタ３１３による給電によりシャットダウン処理を開始する。このようにすることにより、ユーザはドライブレコーダ機能を使用できなくなるが、第１の制御部１００は特にシャットダウンを行わないため、引き続きナビ機能を使用することができる。つまり、一体型装置１０００をポータブルナビとして使用することができる。なお、第１の制御部１００はリチウムイオンバッテリ３１２からの給電により動作を継続する。このように、２つある制御部の一方のみをシャットダウンできることから、他方の制御部は特にシャットダウン処理をして再起動するような必要もなく、そのまま動作を継続することが可能となる。
【０２９０】
次に、再度自動車のカーチャージャーに接続されるか否か、及び自動車以外の外部装置に接続されるか否かを判定する。ここで、外部装置とは例えばＵＳＢ端子３２０にＵＳＢケーブル経由で接続されるパーソナルコンピュータである。接続されたのが、自動車のカーチャージャーであるのかパーソナルコンピュータであるのかは、例えばＵＳＢケーブルから出力される信号により判断するとよい。例えば、ＵＳＢのコネクタは５本線（ＶＢｕｓ／Ｄ−／Ｄ＋／ＩＤ／ＧＮＤ）である。そして、このＩＤ線が、ＧＮＤ線にショート（短絡）されている場合には、パーソナルコンピュータに接続されていると判断できる。一方で、ＩＤ線が、オープン（無接続）であればカーチャージャーに接続されていると判断できる。
【０２９１】
自動車に接続された場合は（ステップＡ１４においてＹｅｓ：自動車）、ステップＡ１に戻り、再度の電源の供給まで待機する。
【０２９２】
一方で、外部装置に接続された場合は（ステップＡ１４においてＹｅｓ：外部装置）、ステップＡ１５に進み、第１の制御部１００をシャットダウンさせる。これは、一体型装置１０００がパーソナルコンピュータに接続された場合には、これ以上ナビゲーション機能を実行させる必要がないと考えられるからである。また、パーソナルコンピュータのＵＳＢ端子３２０の出力では、一体型装置１０００を駆動させるための電流を賄えない場合もありえるからである。
【０２９３】
そして、第１の制御部１００をシャットダウンさせた後は、再度一体型装置１０００をポータブルナビとして使用する場合に備えて、リチウムイオンバッテリ３１２への充電を開始する（ステップＡ１６）。
【０２９４】
その後、外部装置から取り外されたか否かを監視する（ステップＡ１７）。そして、外部装置から取り外された場合には（ステップＡ１７においてＹｅｓ）、ポータブルナビの機能を実現するために、第１の制御部１００はリチウムイオンバッテリ３１２からの給電により起動処理を開始する（ステップＡ１８）。
【０２９５】
そして、第１の制御部１００はタッチパネル１１０に表示を行うと共に、ナビゲーション機能を実行する。
【０２９６】
以上、図１３を参照して説明したように本実施形態では、自動車のエンジンが停止してカーチャージャーからの電源供給が中断した場合、カーチャージャーから取り外された場合、及び外部装置に接続された場合、のそれぞれの場合でそれぞれ適切なように、第１の制御部１００及び第２の制御部２００を駆動させたり、シャットダウンさせたりすることが可能となる。
＜カーナビゲーション＞
次に、第１の制御部１００によるカーナビゲーション機能についてより詳細に説明する、第１の制御部１００は、ＧＰＳセンサ１６０によって検出した現在位置と、主記憶部１９０に記憶している交通監視ポイント等の目標物の位置が、所定の位置関係にあるとき、所定の警報を出力する。そのため、主記憶部１９０には、検出対象の目標物に関する情報（経度・緯度を含む目標物の位置情報や目標物の種別情報等）や、事故多発地帯や交通取締り情報などのより注意を持って安全に運転するための交通安全情報や、ランドマークや運転に有益な各種の情報がある。各情報は、具体的な情報の種類（目標物の種類、交通取り締まりの種類、事故多発地帯、ランドマークの名称等）と位置情報とを関連づけて登録されている。
【０２９７】
警報を発する際の目標物までの距離は、目標物の種類ごとに変えることができる。警報の態様としては、上記と同様に、スピーカ１２０を用いた音声等による警報と、タッチパネル１１０を用いた警報等がある。本実施形態では、一体型装置１０００がカーナビゲーション機能を実現するので、地図データを有している。
【０２９８】
そこで、基本画面として、第１の制御部１００は、現在位置周辺の道路ネットワーク情報を読み出し、現在位置周辺の地図をタッチパネル１１０に表示する機能を有する。そして、タッチパネル１１０に、現在表示中の画面に重ねて警告画面を表示する。地図を表示している際に、現在位置と交通監視ポイントの一つである速度測定装置の一種であるＬＨシステムとの距離が例えば５００ｍになった場合に警告画面を表示する。更に、第１の制御部１００は、「５００ｍ先ＬＨシステムです」といった警報種類と距離を示す警告音声をスピーカ１２０から出力する処理を行う。
【０２９９】
一方、ナビゲーション機能を実現するための第１の制御部１００は、以下のような動作もする。まず、主記憶部１９０は、ナビゲーション用の道路ネットワーク情報を記憶している。
【０３００】
第１の制御部１００は、主記憶部１９０から現在位置周辺の道路ネットワーク情報を読み出し、現在位置周辺の地図をタッチパネル１１０に表示する機能を有する。この第１の制御部１００は、この道路ネットワーク情報を利用してある位置から別の位置に至るルート（経路）を検索することができる。また、主記憶部１９０は、電話番号とその電話番号の住宅・会社・施設等の位置情報及び名称とを対応づけて記憶した電話番号データベースと、住所とその住所の位置情報とを対応づけて記憶した住所データベースを備える。また主記憶部１９０には、速度測定装置等の交通監視ポイントの位置情報がその種類とともに記憶されている。
【０３０１】
また、第１の制御部１００は、一般的なナビゲーション装置の処理を行う機能を有する。すなわち、タッチパネル１１０に現在位置周辺の地図を随時表示し、目的地設定ボタン１４０を表示する。第１の制御部１００は、タッチパネル１１０によって、目的地設定ボタン１４０の表示位置に対応する位置のタッチを検出した場合に、目的地設定処理を行う。目的地設定処理では、目的地設定メニューをタッチパネル１１０に表示し、目的地の設定方法の選択をユーザに促す。目的地設定メニューは、目的地の設定方法の選択をユーザに促す電話番号検索ボタン１４０と住所検索ボタン１４０とを有する。電話番号検索ボタン１４０がタッチされたことを検出した場合には、電話番号の入力画面を表示し、入力された電話番号に対応する位置情報を主記憶部１９０から取得する。住所検索ボタン１４０がタッチされたことを検出した場合には、住所の選択入力画面を表示し、入力された住所に対応する位置情報を主記憶部１９０から取得する。そして、取得した位置情報を目的地の位置情報として設定し、現在位置から目的地までの推奨経路を、主記憶部１９０に記憶している道路ネットワーク情報に基づいて求める。この推奨経路の算出方法としては例えばダイクストラ法など公知の手法を用いることができる。
【０３０２】
そして、第１の制御部１００は、算出した推奨経路を、周辺の地図とともに表示する。例えば、図１５に示すように、現在位置ｉ２１から目的地ｉ２２にいたるルートｉ２３を推奨経路として、所定の色（例えば赤色）で表示する。これは、一般的なナビゲーションシステムと同様である。そして本実施形態では、第１の制御部１００は、ルートｉ２３上の位置情報と主記憶部１９０に記憶された交通監視ポイント等の目標物の位置情報とを比較し、ルートｉ２３上に位置する交通監視ポイント等の位置を表示する。
【０３０３】
これにより、例えば、図１５に示すように、道路上の位置から吹き出しを表示し、主記憶部１９０に記憶されたその位置の交通監視ポイントの種類を吹き出しの中に表示する。例えば、図１５（ａ）は、警告ポイント検索画面の表示例であり、交通監視ポイントｉ２５ａからｉ２５ｆを表示した例を示している。交通監視ポイントｉ２５ａは、Ｎシステムを示す「Ｎ」の文字を吹き出しの中に表示している。交通監視ポイントｉ２５ｂ、ｉ２５ｃ、ｉ２５ｅは、ＬＨシステムを示す「ＬＨ」の文字を吹き出しの中に表示している。交通監視ポイントｉ２５ｄは、ループコイルを示す「ループ」の文字を吹き出しの中に表示している。交通監視ポイントｉ２５ｆは、Ｈシステムを示す「Ｈ」の文字を吹き出しの中に表示している。このように、吹き出しの中に文字を表示する簡略表示状態の吹き出し位置へのタッチをタッチパネル１１０８が検知した場合には、図４（ｂ）に示すように、簡易表示を詳細表示へと切り替える。
【０３０４】
また、図４（ａ）に示すようにタッチパネル１１０内の右下側には、交通監視ポイント種別指定部ｉ２６を表示する。交通監視ポイント種別指定部ｉ２６は、ルートｉ２３上に存在する交通監視ポイントの種別を列挙したボタン１４０表示を行う部分である。図４（ａ）の例では、交通監視ポイントｉ２５ａのＮシステムを示す「Ｎ」の種別ボタン１４０ｉ２７ａと、交通監視ポイントｉ２５ｂ、ｉ２５ｃ、ｉ２５ｅのＬＨシステムを示す「ＬＨ」の種別ボタン１４０ｉ２７ｂと、交通監視ポイントｉ２５ｄのループコイルを示す「ループ」の種別ボタン１４０ｉ２７ｃと、交通監視ポイントｉ２５ｆのＨシステムを示す「Ｈ」の種別ボタン１４０ｉ２７ｄを表示している。第１の制御部１００は、この種別ボタン１４０の表示部へのタッチをタッチパネル１１０８から検出した場合、タッチされた種別ボタン１４０を反転表示するとともに、タッチされた種別ボタン１４０に対応する交通監視ポイントの表示態様を、簡易表示中であれば詳細表示に切り替え、詳細表示中であれば簡易表示中に切り替える。
【０３０５】
本実施形態の一体型装置１０００は、目的地（以下、経由地も含む）の設定方法として、周辺検索機能を備えている。この周辺検索機能が選択されて起動された場合、第１の制御部１００は、指定された条件に合致する施設であって、現在位置から近いものを抽出し、その抽出結果をタッチパネル１１０に描画する。そして、ユーザは、タッチパネル１１０に描画された候補の中からいずれかを選択し、確定することで目的地（経由地を含む）に指定することができる。
【０３０６】
すなわち、係る機能を実現するため、本実施形態の主記憶部１９０は、各施設についての情報を、その位置情報とともに施設の分類に関する情報と関連付けて記憶している。施設の分類に関する情報は、各施設が合致するジャンルの呼び名でまとめられた複数種類の項目である。
【０３０７】
本実施形態では、いずれかの項目が指定されると、第１の制御部１００は、指定された項目に合致する施設であって、現在位置から近いものを抽出し、その抽出結果を目的地の候補としてタッチパネル１１０に描画する。ユーザは、タッチパネル１１０に描画された候補の中からいずれかを選択することによって、目的地として指定することができる。
【０３０８】
項目のいずれか選択された場合、第１の制御部１００は、主記憶部１９０にアクセスし、現在位置を中心として、基準距離（たとえば、１０ｋｍ）以内に存在する施設であって、指定された項目の分類に一致するものを抽出する。そして、近いものから所定数（たとえば１０個）の施設をタッチパネル１１０に描画されている地図上の対応する箇所に、当該施設を示すアイコン（マーク）を重ねて描画する。主記憶部１９０に格納した施設の情報として、各施設に対して、それぞれのアイコンを関連づけて登録しておき、描画に際しては、その関連づけられたアイコンを読み出してタッチパネル１１０の所定位置に描画する。
【０３０９】
なお、タッチパネル１１０に描画された地図上に、現在位置が存在している場合には、その現在位置に該当する位置に自車を示す自車アイコンを重ねて描画する。さらに、このような施設のアイコンを描画するに際し、自車から近い順に番号を付記して表示する。自車の移動に伴い、随時番号は更新する。
【０３１０】
そして、ユーザが、所望の施設を選択すると、それを認識した第１の制御部１００が、係る施設を目的地とした推奨経路を求め、その結果をタッチパネル１１０の地図に重ねて描画する。
【０３１１】
さらに、第１の制御部１００は、設定された目的地までのルート案内を行う機能を有する。つまり、第１の制御部１００は、ユーザによる案内開始の選択に応じて、ＧＰＳや自律航法で自車位置を逐次検出しながら、道路などを表す地図情報をタッチパネル１１０に描画しつつ、目的地までの道案内を画像や音声を用いて行う。
【０３１２】
上記のユーザによる指定、選択等の指示入力は、タッチパネル１１０に項目や機能の名称が表示されたボタン１４０、施設のアイコンをタッチしたりしたことを第１の制御部１００が検出することを契機として行うことができる。
＜実装例＞
以上説明した一体型装置１０００は、例えば以下のように電子機器に実装することができる。
【０３１３】
図１６は一体型装置１０００を実装した電子機器の外観の一例を表す六面図である。図１６では中央列の二段目に正面図が表されている。ここで、図１６では、一体型装置１０００を設置した際にタッチパネル１１０に正対する面を正面図としている。一体型装置１０００の正面にはタッチパネル１１０が配置されている。また、タッチパネル１１０の周りを取り囲むベゼルにはボタン１４０等は配置されておらず、タッチパネル１１０の目視を妨げないようになっている。
【０３１４】
正面図の左には、左側面図が表されている。そして、一体型装置１０００の左側面には第１の記憶部１８０、報知用ＬＥＤ１３０ｂ及びＵＳＢ端子３２０が配置されている。第１の記憶部１８０はＳＤスロットにより実現され、かかるＳＤスロットに、記憶媒体であるＳＤカードが挿入される。報知用ＬＥＤ１３０ｂは電源が給電されているか否かを表すＬＥＤであり、電源給電中は例えば緑に点灯する。ＵＳＢ端子３２０にはシガープラグコード５０４が接続されており、＜バッテリ制御＞の欄で述べたように、一体型装置１０００は、かかるシガープラグコード５０４を介してカーチャージャーから給電を受ける。なお、一体型装置１０００の形状を明示するために、図１５ではシガープラグコードのソケットから延出するコード部分に関しては図示を省略する。
【０３１５】
正面図の右には、右側面図が表されている。そして、一体型装置１０００の右側面には第２の記憶部２３０が配置されている。第２の記憶部２３０はＳＤスロットにより実現され、かかるＳＤスロットに、記憶媒体であるＳＤカードが挿入される。
【０３１６】
正面図の上には、上面図が表されている。そして、一体型装置１０００の上面には、報知用ＬＥＤ１３０ａ、ボタン１４０ａ、ボタン１４０ｂ及びボタン１４０ｃが配置されている。報知用ＬＥＤ１３０ａは一体型装置１０００による常時録画が行われているか否かを表す用途に用いられ、例えば常時録画が行われていない場合に赤色に点灯する。ボタン１４０ａはマニュアル録画を開始するためのボタン１４０であり、ボタン１４０ａの押下を契機としてイベント録画が開始される。ボタン１４０ｂは常時録画を停止又は再開させるためのボタン１４０であり、押下を受け付けるたびに、常時録画は停止又は再開される。ボタン１４０ｃは一体型装置１０００をＯＮ又はＯＦＦとするためのボタン１４０であり、電源がＯＮの場合に押下を受け付けると一体型装置１０００は電源ＯＦＦとなり、電源がＯＦＦの場合に押下を受け付けると一体型装置１０００は電源ＯＮとなる。
【０３１７】
中央列の三段目には、背面図が表されている。そして、一体型装置１０００の背面にはカメラ２１０及びジョイント部５０２が配置されている。また、一体型装置１０００の背面にはエッジ５０１ａ、エッジ５０１ｂ、エッジ５０１ｃ及びエッジ５０１ｄが形成されている。カメラ２１０のユニットはボールジョイントにより一体型装置１０００に組み込まれており、カメラ２１０は可動する。カメラ２１０の可動域は、例えば各方向に１５度であるとする。つまり、カメラ２１０が中央にあるとするならば、例えば上方向に１５度、下方向に１５度可動する。ジョイント部は一体型装置１０００を固定するためのクレードルに、一体型装置１０００を取り付けるための部分である。また、エッジ５０１ａ、エッジ５０１ｂ、エッジ５０１ｃ及びエッジ５０１ｄは背面に形成された稜線である。エッジ５０１ａ、エッジ５０１ｂ、エッジ５０１ｃ及びエッジ５０１ｄは、湾曲しており、一体型装置１０００を携帯するユーザの手に引っかからない形状となっている。
【０３１８】
中央列の三段目には、底面図が表されている。そして、一体型装置１０００の底面にはスピーカスリット５０３が設けられている。スピーカスリット５０３は一体型装置１０００のスピーカ１２０が出力する音が出力されるスリットである。スピーカスリット５０３とスピーカ１２０の詳細に関しては後述する。
【０３１９】
ここで、一体型装置１０００は上述したように背面に、エッジ５０１ａ、エッジ５０１ｂ、エッジ５０１ｃ及びエッジ５０１ｄという４つの稜線を設けることにより、背面に４つの面を設けている。また、例えば底面図、上面図、左側面図及び右側面図を参照すると分かるように、カメラ２１０を頂点として背面の各端部に対して下りの傾斜が設けられた形状となっている。
【０３２０】
この点、このような傾斜を設けることなく各端部とカメラ２１０部の厚みを同等として、一体型装置１０００の筐体を扁平な矩形状として実現することも考えられる。しかし、このような形状にすると一体型装置１０００全体が大きくなってしまい、携帯性が欠けてしまう。
【０３２１】
また、カメラ２１０部分が厚くなってカメラ２１０部分が頂点となるのは、カメラ２１０を形成するカメラ２１０ユニットの大きさに起因するものである。そのためカメラ２１０部分を薄くすることはできない。一方で、他の回路はカメラ２１０部分に比べて薄くすることが可能である。よって、各端部とカメラ２１０部の厚みを同等としたとしても、一体型装置１０００の筐体内に無駄なスペースが生じるだけのことになる。この観点からも、一体型装置１０００の筐体を扁平な矩形状にする必要はない。
【０３２２】
そこで、本実装例ではカメラ２１０を頂点として背面の各端部に対して下りの傾斜を設けることにより、背面の厚みを薄くすることを実現している。これにより、不必要に厚くなり、携帯性に欠けてかけてしまうことや、筐体内に無駄なスペースが生じてしまうことを防止できる、という効果を奏する。
【０３２３】
また、図１７を参照して、本実装例の他の特徴についても説明する。図１７（ａ）には一体型装置１０００の左側面が表されている。図１６を参照して説明したように一体型装置１０００の左側面には、シガープラグコード５０４を接続するためのＵＳＢ端子３２０が配置されている。そして、左側面から見た場合の、ＵＳＢ端子３２０の周辺右半分には切り欠き５０５が形成されている。ここで、左側面から見た場合の切り欠き５０５は、ＵＳＢ端子３２０の設けられている高さのあたりまでは上から下に略垂直であるが、ＵＳＢ端子３２０の設けられている高さよりも下の部分では弧を描くように左に湾曲した形状をしている。
【０３２４】
また、図１７（ｂ）には一体型装置１０００の背面が表されている。背面から見た場合の切り欠け５０５は、上部分（例えば、全体の略三分の二）の左右の長さと、下部分（例えば、全体の略三分の一）の左右の長さが異なっている。具体的には、下部分の左右の長さが短くなっている。
【０３２５】
切り欠き５０５が、このような形状をしている理由について図１７（ｃ）を参照して説明する。図１７（ｃ）は、ＵＳＢ端子３２０に、シガープラグコード５０４を装着した状態を表す左側面図である。図１７（ｃ）を参照すると、シガープラグコード５０４及びシガープラグコード５０４から延出するコード部５０４−１が表されている。
【０３２６】
まず、図１７（ｂ）を参照して説明したように、背面から見た場合の切り欠け５０５は、下部分の左右の長さが短くなっており、ケーブルの太さに応じたものとなっている。そのため、背面から見た場合に、コード部５０４−１は、左右にズレることはなく、切り欠け５０５の形状に沿うこととなる。そして、コード部５０４−１は、切り欠き５０５の左側面から見ると弧を描くように左に湾曲した形状に沿って垂れている。つまり、切り欠き５０５の左側面から見ると弧を描くように左に湾曲した形状は、シガープラグコード５０４のコード部５０４−１を垂下させるのではなく、所望の方向に誘導している。
【０３２７】
このようにすることにより、コード部５０４−１が意図しない方向に向かっていくことを防止することが可能となる。また、弧を描くようにしていることから、コードが鋭角に曲がってしまうことを防止できる。これによりコードの寿命を延ばすことが可能となる。
【０３２８】
また、一体型装置１０００の背面から見た場合の切り欠け５０５の左右の幅は、正面から一体型装置１０００を見た場合にシガープラグコード５０４やコード部５０４−１がユーザから見えない幅にするとよい。これにより、ユーザには一体型装置１０００の前面の矩形型の形状のみがユーザの目に見えることとなり、統一感が生まれる。
【０３２９】
更に、一体型装置１０００の背面から見た場合の切り欠け５０５の左右の幅は、正面から一体型装置１０００を見た場合にシガープラグコード５０４やコード部５０４−１がユーザから見える幅にするとよい。これにより、ユーザは、シガープラグコード５０４がＵＳＢ端子３２０に接続することを確認することが可能となる。
【０３３０】
また、図１８を参照して、本実装例の他の特徴についても説明する。図１８には一体型装置１０００の背面図であって一体型装置１０００の筐体を実現するカバーの背面部を取り除いた場合の形状が表されている。
【０３３１】
図１８には、スピーカユニット５０６、スピーカ保持部５０７と、スピーカスリット５０３の位置に対応する位置をあらわすスピーカスリット対応位置５０８が表されている。
【０３３２】
スピーカユニット５０６は図１のスピーカ１２０に対応するものであり、運行案内用の音声や、警告音、音楽等の音を振動板により生成する。ここで一般的には、一体型装置１０００の筐体を実現するカバーの背面のスピーカユニット５０６に対応する部分に、振動板が生成した音をカバー外部に導出させるための放音孔を設ける。
【０３３３】
しかしながら、本実装例では一体型装置１０００を持ち運ぶことを想定しており、ユーザが背面を目にすることが考えられる。このような場合に、放音孔が設けられていると外観の美観を損ねる。
【０３３４】
そこで、本実装例ではスピーカ保持部５０７により、スピーカユニット５０６を保持するのみならず、スピーカユニット５０６の周辺を囲むようにする。もっとも、スピーカユニット５０６の下部については、スピーカユニット５０６を取り囲まない。これにより、振動板が生成した音は、スピーカユニット５０６の下部からスピーカスリット対応位置５０８へ導かれ、最終的にはスピーカスリット５０３から導出される。これにより、一体型装置１０００の筐体を実現するカバーの背面のスピーカユニット５０６に対応する部分に、放音孔を設けることなく、外部に音を出力することが可能となる。これにより、放音孔により美観を損ねてしまうことを防止できる。
【０３３５】
次に、図１９を参照して一体型装置１０００をダッシュボード等に固定するために、一体型装置１０００をクレードル２０００及び台座部３０００に装着した状態の図について説明する。本実装例では、クレードル２０００を図１６に表されるジョイント部５０２と着脱可能とし、クレードル２０００と共に車両のダッシュボード上に設置して利用したり、クレードル２０００から一体型装置１０００を取り外してポータブルナビとして利用したりする。
【０３３６】
クレードル２０００は更に台座部３０００と接続されている。台座部３０００は、
クレードル２０００を任意の姿勢で支持する。台座部３０００は、底面に設けた吸盤や吸着シート等で、ダッシュボードなどの上に吸着して固定される。台座部３０００とクレードル２０００とは、ボールジョイント等の連結機構を介して所定の角度範囲内で回転可能に連結される。ボールジョイントであるため、台座部３０００とクレードル本体２０００は、相対的に三次元方向の任意の角度範囲内で回転移動し、ジョイント部分における摩擦抵抗により任意の角度位置でその位置をとどめる。よって、クレードル２０００に取り付けられた一体型装置１０００も、ダッシュボード上において任意の姿勢で配置することができる。
＜変形例＞
上述した実施形態及び実装例は、本発明の好適な実施形態ではあるが、上記実施形態のみに本発明の範囲を限定するものではなく、本発明の要旨を逸脱しない範囲において種々の変更を施した形態での実施をするようにしてもよい。
【０３３７】
例えば、上述した実施形態では、映像ファイルの有無に応じて地図上に表示するアイコンの形状を異ならせていた。また、イベントのレベルに応じて地図上に表示するアイコンの色を異ならせていた。更に、時系列に応じてイベントに番号を割り当てて、その順番を数字で表示していた。つまり、このような条件に応じて、各アイコンの表示態様を異ならせていた。ここで表示態様を異ならせるとは、例えば、アイコンの色、形状、大きさ、番号の表示等を、それぞれ異ならせることを含む。
【０３３８】
この点、表示態様の異ならせ方と表示態様を異ならせる条件の対応は必ずしも上述した実施形態の限りではない。例えば、映像ファイルの有無に応じて地図上に表示するアイコンの色を異ならせるようにするとよい。また、色と形状の双方を異ならせるようにするとよい。例えば、イベントのレベルに応じて地図上に表示するアイコンの番号を異ならせるようにしてもよい。また、映像ファイルの有無等の第１の条件と、イベントのレベル等という第２の条件とがあるとした場合に、条件によって、それぞれ表示態様の異ならせ方を異ならせるようにしてもよい。
【０３３９】
例えば、常時録画を行う際に一番古いファイルは削除しないようにするのもよい。これにより、新たなリアルタイム映像の保存はできないが、古いリアルタイム映像が消されてしまうことを防止できる。
【０３４０】
また、電源の供給と連動して、常時録画を開始及び停止するようにするとよい。これにより、ユーザの操作を要することなく、常時録画を常に行うことが可能となる。
【０３４１】
更に、マニュアル録画及びイベント録画において新たにイベントが発生した場合やユーザの操作があったとしても一番古いファイルは削除しないようにしてもよい。これにより、新たなファイルの保護はできないが、過去に保護したファイルが消されてしまうことを防止できる。
【０３４２】
更に、マニュアル録画及びイベント録画で保護対象とされたファイルであってもユーザの操作や設定に応じて削除できるようにするのもよい。これにより、内容を確認した上で不要と思われるファイルを削除し、記憶部の空き容量を増やすことが可能となる。
【０３４３】
更に、ｉ１３等のアイコンのリストでは地図上で押下されたイベントアイコン又は履歴アイコンをリストの最上部に配置するようにするのもよい。また、イベントの発生した日時に基づいて各イベントを時系列順に並び替えるようにするのもよい。
【０３４４】
更に、第１の記録部と第２の記憶部２３０が同一の種別の記憶媒体を利用可能とし、例えば、第２の記憶部２３０にて使用している記憶媒体の容量が最大となった場合に、第１の記憶部１８０で使用している記憶媒体と入れ替えて使用するようにするのもよい。これにより、２つの記憶媒体を状況に応じて使い分けることが可能となる。また、第２の制御部２００にて映像ファイルを格納した記憶媒体を第１の記憶部１８０に挿入することにより、第１の制御部１００により映像ファイルを再生することができるのでよい。
【０３４５】
更に、イベントが発生したと判断した場合に、リアルタイム映像の撮像の障害となる機能を実行させないための制御を行うとよい。リアルタイム映像の撮像の障害となる機能とは、例えば、をテレビの音声出力機能とする。こうすることにより、画像データの撮像の際、少なくともイベントが発生したと判断された後はテレビの音声は停止され、撮像するデータにテレビの音声が混入することを防止可能となる。
【０３４６】
更に、イベントが発生したと判断する場合に、加速度センサ１７０の測定値が、複数の閾値の何れかを超えたとしてもイベント録画を行わないようにしてもよい。これにより、例えば軽微な衝撃に基づいてイベントが発生したと判断されることが頻発するような場合には、軽微な衝撃に基づいてイベントが発生したと判断されたとしても映像ファイルを記憶しない。そのため、映像ファイルが増えすぎて、記憶媒体の容量をすぐに使いきってしまうような事態を防止する事が可能となる。例えば、車種や道路状況、運転の癖等によっては、一番敏感な閾値でのイベントが発生したとの判断が多発するような場合に、毎回録画をすると肝心な録画データもすぐ上書きされてしまう。そのため、このような場合は例えば一番敏感な閾値でのイベントが発生したと判断したとしても映像ファイルを記憶しないようにするとよい。
【０３４７】
更に、カメラ２１０が可動することから、カメラ２１０の入射部２１１の入射位置及び向きの何れか又は双方を調整可能なように動かせるようにするとよい。こうすることにより、自動車一体型装置１０００を設置した後であっても入射位置の調整を行うことが可能となる。これにより、自動車の形状や設置位置に対応できるように、撮像される範囲を調整することができ、所望の範囲の画像データを撮像することが可能となる。
【０３４８】
更に、イベントが発生したと判断するための閾値は測定軸毎に異なる値が設定可能であり、自動車の進行方向に対応する測定軸の閾値が、他の測定軸の閾値よりも高いようにしてもよい。このようにすることに、一体型装置１０００の利用状況に応じた閾値を使用でき、イベントが発生していないような場合に誤ってイベントが発生したと判断してしまうことを防止することが可能となる。
【０３４９】
この点、一体型装置１０００の使用状況によっては所定の方向に対してイベントの発生とは無関係に、加速度センサ１７０による測定値が上るような場合がある。例えば、一体型装置１０００の前面をタッチパネル１１０とした場合には、ユーザによるタッチパネル１１０の押下が行われることにより、一体型装置１０００の前面から後面方向に対応する測定軸において、加速度センサ１７０による測定値が上る。これは、イベント発生とは関係しないため、このような場合にはイベントが発生したと判断しないことが好ましい。
【０３５０】
そこで、例えば一体型装置１０００の前面から後面方向に対応する測定軸においては閾値を高くするとよい。例えば自動車に一体型装置１０００を設置する際は、タッチパネル１１０が設けられた一体型装置１０００の前面はユーザの正面に向き、一体型装置１０００の後面は自動車の進行方向に向く。そこで、例えば自動車進行方向を前とした場合に自動車進行方向に対応する測定軸をＸ方向（前後）とし、自動車進行方向を前とした場合に自動車の左右に対応する測定軸をＹ方向（左右）とし、自動車進行方向を前とした場合に自動車の上下に対応する測定軸をＺ方向（左右）とし、Ｘ方向（前後）の測定軸についての閾値を高くするようにするとよい。
【０３５１】
これにより、多少の衝撃を検知したとしてもイベントが発生したと判断しないとすることが可能となる。
【０３５２】
更に、加速度センサ１７０の測定値が、閾値を超えたとしても、閾値を超えたのがタッチパネル１１０により操作を受け付けたときを含む所定の期間の間であるのならばイベントが発生したとはしないようにするとよい。上述したように、例えば、一体型装置１０００の前面から後面方向に対応する測定軸において、加速度センサ１７０による測定値が上る。これは、イベント発生とは関係しないため、このような場合にはイベントが発生したと判断しないことが好ましい。そこで、操作を受け付けたときを含む所定の期間の間であるのならばイベントが発生したとはしない。これにより、操作に伴う衝撃を加速度センサ１７０が測定した場合であっても、これに基づいてイベントが発生したという誤った判断を行ってしまうことを防止することができる。また、このような場合にはイベントが発生したと判断してイベント録画は行うが、例えば、イベントが発生した旨のポップアップ表示や警告音の出力は行わないようにするのもよい。これにより、操作に伴う衝撃を加速度センサ１７０が測定してイベントが発生したという誤った判断を行ってしまったにも関わらず、警告を出力してしまうという事態を防止することが可能となる。
【０３５３】
自動車が、イベントが発生した場所の近傍に位置している場合に、当該一体型装置１０００が制御対象とする一体型装置１０００が実行する機能の少なくとも一部を制限するようにするとよい。こうすることにより、前回イベントが発生した箇所において、ユーザは自動車の運転に集中することが可能となる。過去にイベントが発生した場所では気を引き締めて運転をすることが望まれることが多い。例えば、前回急ブレーキをかけてしまったことからイベントが発生したと判断された場所があったとする。この場合に、この場所の近傍では制御対象とする一体型装置１０００の機能を一部制限する。例えば、テレビの音声出力機能を制限するとよい。こうすることにより、以前急ブレーキをかけた場所の近くでは、運転の邪魔となるテレビの音声の出力を取りやめることができ、ユーザが自動車の運転に集中することが可能となる。
【０３５４】
更に、イベント発生時に測定された加速度以外の測定情報として例えば自動車の移動速度も出力するようにするとよい。こうすることにより、ユーザはイベントが発生時に例えば法定速度以下であったことや、きちんと徐行をしていたことなどが証明できるようになる。なお、自動車の移動速度は、例えばＧＰＳの位置情報を使用することにより算出できる。また、例えばＯＢＤ（On-board diagnostics）を使用することにより自動車の移動速度を取得するのもよい。
【０３５５】
以上の説明では、一体型装置１０００が設置されている自動車の現在位置が含まれている地図上にイベントアイコンや履歴アイコンを表示することを説明した。つまり自動車周辺の地図について表示することを説明した。これに加えて、経路検索や目的地検索を行う際に、経路周辺や目的地周辺で起こったマニュアル録画及びイベント録画についてのイベントアイコンや履歴アイコンも表示するようにするとよい。これにより、ユーザは自動車の現在位置が含まれていない場所についてもアイコンを参照することが可能となる。
【０３５６】
更に、イベントアイコンや履歴アイコンの押下に応じて、イベントアイコンや履歴アイコンの位置まで運行案内をするようにするのもよい。こうすることにより、過去に事故を起こした場所や、頻繁にイベントが発生する場所や、ユーザが手動で録画をした場所に簡単に再訪することが可能となる。
【０３５７】
更に、主記憶部１９０に格納するナビゲーションのための情報は、出荷時において全国についてのすべての情報を格納しておいてもよい。また、地図データ等は、地方毎に記憶媒体に格納したものを提供するようにし、ユーザは必要な地図データ等が格納された記憶媒体を用意し、それを第１の記憶部１８０に装着して使用するようにしてもよい。なお、記憶媒体に格納された地図データ等は、主記憶部１９０に転送して格納してもよい。また、第１の制御部１００が記憶媒体にアクセスし、そこから読み出して使用するようにしてもよい。
【０３５８】
上述した実施形態では、主記憶部１９０、第１の記憶部１８０及び第２の記憶部２３０のように３つの記憶部を設けたが、必ずしも３つの記憶部を設ける必要はない。例えば第１の制御部１００を設けないようにするのもよい。
【０３５９】
上述した実施形態では、第１の制御部１００による制御を実現するためのソフトウェアは主記憶部１９０に格納されると説明したが、そのソフトウェアの一部又は全部が主記憶部１９０ではなく第１の制御部１００に含まれるＲＯＭに格納されるようにするのもよい。
【０３６０】
閾値はユーザ調整できるようにしてもよいが、一般的にユーザが閾値をどの程度調整するのか把握していないと考えられることを鑑みて、閾値を固定とするようにしてもよい。これにより、ユーザが不適切な閾値を設定しまうことが防止可能となる。
【０３６１】
上述した説明では、各アイコンを単に色分け表示するだけではなく、例えばアイコンを時系列に沿った番号を含んだ丸付き数字としていた。この際、番号は時系列に沿って降順で付しても昇順で付してもよい。つまり、最新のアイコンの番号が１、最古のアイコンの番号が１０となってもよい。また、最新のアイコンの番号が１０、最古のアイコンの番号が１となってもよい。
【０３６２】
上述の説明では、第１の制御部１００を介して映像ファイルを再生していたが、第２の制御部２００から直接タッチパネル１１０に出力されるようにするのもよい。また、２つの映像ファイルを復号して画像データとする処理は、第２の制御部２００ではなく、第１の制御部１００で行うようにしてもよい。
【０３６３】
上述の説明では、［ショートカット］ボタン１４０には「カメラ２１０映像」を対応付けるのではなく「テレビ映像」を対応付けるようにするのもよい。ユーザは、一体型装置１０００の設置時には「カメラ２１０映像」を参照するが、取り付け後は「テレビ映像」を参照すると考えられるため、ユーザの使い勝手を向上させることが可能となる。
【０３６４】
また、［ショートカット］ボタン１４０が押下されて画面Ｓ３に遷移している場合であっても音声による運行案内は継続するようにするとよい。これにより、運行案内が中断されてしまうという不都合を防止できる。
【０３６５】
また、画面上に、つまりタッチパネル１１０上にマニュアル録画を行う契機となる操作を受け付けるためのボタン１４０を表示させるようにしてもよい。また、タッチパネル１１０上に表示するボタン１４０ではなく、ハードキーであるボタン１４０にてマニュアル録画を行う契機となる操作を受け付けるようにするとよい。これにより、タッチパネル１１０上にボタン１４０を設ける必要がなくなるため、例えば画面Ｓ１３にて全画面表示されるリアルタイム映像が、ボタン１４０により一部見えなくなってしまうようなことを防止することが可能となる。
【０３６６】
図１２の説明では、ステップＡ３を行ってからステップＡ４を行っていたが、シガープラグコードの定格電流の範囲内に収まるのであればステップＡ３とＡ４を同時に行うようにするのもよい。これにより、第２の制御部２００が起動するまでの時間を短縮することが可能となる。
【０３６７】
更に、個人の運転の仕方、車種、いつも走行する道路等の要因により、加速度センサ１７０が検知する加速度は異なる。そのため、場合によってはイベントが発生したと判断する基準としている閾値が低すぎる場合が考えられる。この場合には、イベントが発生していないにも関わらずイベントが発生したと誤検知してしまう可能性がある。一方で、場合によってはイベントが発生したと判断する基準としている閾値が高すぎる場合が考えられる。この場合には、イベントが発生しているにも関わらずイベントが発生していないと誤検知してしまう可能性がある。
【０３６８】
そこで、出荷時に設定されている閾値を、ユーザが修正することができるようにするのもよい。また、本実施形態では複数の閾値を設け、加速度センサ１７０が検知する加速度が何れの閾値を超えたかに応じて地図上に表示するアイコンの色を異ならせている。こうすることにより、ユーザは、個人の運転の仕方、車種、いつも走行する道路等による閾値の個人差を個人設定する時の目安として色が異なるアイコンを利用することができる。
【０３６９】
また、ユーザにとって閾値の設定が困難であると考えられるような場合には、出荷時に設定されている閾値をユーザが修正することはできないようにするのもよい。
【０３７０】
更に、第２の記憶部２３０に記憶媒体としてＳＤカード等を挿入する場合には、ＳＤカードの記憶容量等に応じて保存した動画データ数に限りがあるので、地図上に表示したアイコン全てについて動画を見ることはできない。しかしながら、動画データが保存されている最新のファイルと、動画データが保存されていないそれより過去のファイルとの区別をするようにするとよい。区別は、例えばアイコンの形状や色を異ならせることにより実現するとよい。最新のファイルは、例えば１０個とするとよい。
【符号の説明】
【０３７１】
１００  第１の制御部
１１０  タッチパネル
１２０  スピーカ
１３０  報知用ＬＥＤ
１４０  ボタン
１５０  テレビチューナ
１６０  ＧＰＳセンサ
１７０  加速度センサ
１８０  第１の記憶部
１９０  主記憶部
２００  第２の制御部
２１０  カメラ
２１１  入射部
２２０  マイク
２３０  第２の記憶部
３１０  電源部
３２０  ＵＳＢ端子
５０１  エッジ
５０２  ジョイント部
５０３  スピーカスリット
５０４  シガープラグコード
５０４−１  コード部
５０５  切り欠け
５０６  スピーカユニット
５０７  スピーカ保持部
５０８  スピーカスリット対応位置
１０００  一体型装置
２０００  クレードル
３０００  台座部
【図１】
2019135149.tif 000004
【図２】
2019135149.tif 000005
【図３】
2019135149.tif 000006
【図４】
2019135149.tif 000007
【図５】
2019135149.tif 000008
【図６】
2019135149.tif 000009
【図７】
2019135149.tif 000010
【図８】
2019135149.tif 000011
【図９】
2019135149.tif 000012
【図１０】
2019135149.tif 000013
【図１１】
2019135149.tif 000014
【図１２】
2019135149.tif 000015
【図１３】
2019135149.tif 000016
【図１４】
2019135149.tif 000017
【図１５】
2019135149.tif 000018
【図１６】
2019135149.tif 000019
【図１７】
2019135149.tif 000020
【図１８】
2019135149.tif 000021
【図１９】
2019135149.tif 000022